(57)【要約】  所定のコンテンツを視聴又は聴取可能に再生可能なコンテンツ再生装置（１００）は、選択部（１０１）と、生成部（１０２）と、出力部（１０３）と、から構成され、選択部（１０１）は、有効期間において視聴または聴取可能なコンテンツのうち、購入対象となる購入対象コンテンツの選択を受け付ける。生成部（１０２）は、選択部（１０１）によって選択された購入対象コンテンツを特定する特定情報を生成する。そして、出力部（１０３）は、生成部（１０２）によって生成された特定情報を、複数のコンテンツを記録可能な機器に出力する。
2008012901.tif 000002
【特許請求の範囲】
【請求項１】
所定のコンテンツを視聴または聴取可能に再生可能なコンテンツ再生装置において、
有効期間において視聴または聴取可能なコンテンツ（以下、「期限付きコンテンツ」という）のうち、購入対象となる購入対象コンテンツの選択を受け付ける選択手段と、
前記選択手段によって選択された購入対象コンテンツを特定する特定情報を生成する生成手段と、
前記生成手段によって生成された特定情報を、複数のコンテンツを記録可能な機器に出力する出力手段と、
を備えることを特徴とするコンテンツ再生装置。
【請求項２】
前記コンテンツ再生装置は、
移動体に搭載され、サブスクリプションサービスを用いて、前記期限付きコンテンツを管理するコンテンツ管理サーバに接続し、または前記期限付きコンテンツを管理するコンテンツ管理サーバからコンテンツを取得して、当該期限付きコンテンツを再生可能とすることを特徴とする請求項１に記載のコンテンツ再生装置。
【請求項３】
前記特定情報を、前記複数のコンテンツを記録可能な機器に出力できる状態になるまで、一時的に保管する機能を備えることを特徴とする請求項１に記載のコンテンツ再生装置。
【請求項４】
一時的に保管した前記特定情報から、前記複数のコンテンツを記録可能な機器に出力する特定情報を選択する機能を備えることを特徴とする請求項１に記載のコンテンツ再生装置。
【請求項５】
複数のコンテンツを管理するコンテンツ管理サーバに対して、購入対象となる購入対象コンテンツの購入要求をおこなう要求手段と、
前記要求手段によって前記購入要求がされた結果、前記コンテンツ管理サーバから前記購入対象コンテンツを受信する受信手段と、
前記受信手段によって受信された前記購入対象コンテンツを記録媒体に記録する記録手段と、
を備えることを特徴とするコンテンツ記録装置。
【請求項６】
前記コンテンツ記録装置は、
コンテンツ購入サービスを用いて、前記購入対象コンテンツを管理するコンテンツ管理サーバから購入したコンテンツのデータを取得して、前記購入対象コンテンツの記録、管理及び再生や複製を可能とすることを特徴とする請求項５に記載のコンテンツ記録装置。
【請求項７】
前記購入対象コンテンツを特定する特定情報を取得する取得手段をさらに備え、
前記要求手段は、
前記取得手段によって取得された特定情報を用いて、前記コンテンツ管理サーバが管理する複数のコンテンツの中から、当該特定情報によって特定される前記購入対象コンテンツの購入要求をおこなうことを特徴とする請求項５に記載のコンテンツ記録装置。
【請求項８】
前記特定情報を用いて購入したコンテンツのデータの複製データを生成し、前記特定情報の生成及び出力をした前記コンテンツ再生装置または指定する機器に、前記複製データの送信を行うこと特徴とする請求項５に記載のコンテンツ記録装置。
【請求項９】
前記受信手段は、
前記要求手段によって前記購入要求がされた結果、当該購入対象コンテンツの対価が支払われた場合に、前記購入対象コンテンツの対価の支払いに関する課金情報を管理する前記コンテンツ管理サーバから前記購入対象コンテンツを受信することを特徴とする請求項５に記載のコンテンツ記録装置。
【請求項１０】
所定のコンテンツを視聴または聴取可能に再生可能とするコンテンツ再生方法において、
有効期間において視聴または聴取可能なコンテンツ（以下、「期限付きコンテンツ」という）のうち、購入対象となる購入対象コンテンツの選択を受け付ける選択工程と、
前記選択工程によって選択された購入対象コンテンツを特定する特定情報を生成する生成工程と、
前記生成工程によって生成された特定情報を、複数のコンテンツを記録可能な機器に出力する出力工程と、
を含むことを特徴とするコンテンツ再生方法。
【請求項１１】
複数のコンテンツを管理するコンテンツ管理サーバに対して、購入対象となる購入対象コンテンツの購入要求をおこなう要求工程と、
前記要求工程によって前記購入要求がされた結果、前記コンテンツ管理サーバから前記購入対象コンテンツを受信する受信工程と、
前記受信工程によって受信された前記購入対象コンテンツを記録媒体に記録する記録工程と、
を含むことを特徴とするコンテンツ記録方法。
【請求項１２】
請求項１０に記載のコンテンツ再生方法をコンピュータに実行させることを特徴とするコンテンツ再生プログラム。
【請求項１３】
請求項１１に記載のコンテンツ記録方法をコンピュータに実行させることを特徴とするコンテンツ記録プログラム。
【請求項１４】
請求項１２または請求項１３に記載のプログラムを記録したことを特徴とするコンピュータに読み取り可能な記録媒体。
【発明の詳細な説明】
【技術分野】
【０００１】
この発明は、所定のコンテンツの再生および記録をおこなうコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体に関する。ただし、この発明の利用は、上述したコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体には限られない。
【背景技術】
【０００２】
近年では、任意の利用者が所定の契約料金を支払うことで、契約期間中に限り、利用者の再生端末などによって、所定の楽曲群の曲のダウンロードや聴取可能な再生をおこなうことができるサブスクリプションサービスなどと呼ばれるサービスが普及しつつある。このサブスクリプションサービスは、たとえば、利用者の再生端末に楽曲のデータが残らないストリーミング方式であってもよく、利用者は、低額の契約料金であっても比較的多くの楽曲を聴取することができる。【０００３】
また、これまでに、所定の期間に限定した情報の利用について、利用者が特定のネットワーク・プロバイダに接続する契約を維持している期間に対応した期間に限定して、その利用者による所定のプログラムの実行を可能にする提案がされている（たとえば、下記特許文献１参照。）。【０００４】
具体的に、下記特許文献１に記載の提案は、利用者の情報端末に配布するソフトウェアに対して、短期間で切れるライセンスキーを設定し、ネットワーク・プロバイダに接続することによってソフトウェアのライセンスを更新する構成としている。【０００５】
【特許文献１】特開２００１−２６５５８４号公報
【発明の開示】
【発明が解決しようとする課題】
【０００６】
しかしながら、上述した技術では、利用者による楽曲の聴取が契約期間中に限られているため、利用者は、契約期間が経過すると楽曲の聴取ができなくなってしまうという問題が一例として挙げられる。特に、契約期間中であっても楽曲の複製ができないため、利用者は、楽曲を聴取するために再契約の負担がかかるという問題が一例として挙げられる。【０００７】
一方、契約期間を考慮しないように楽曲を購入する場合、利用者は、契約期間中に限った聴取に比べて高額の費用を負担しなければならないという問題が一例として挙げられる。また、楽曲の限定的な部分に限った試聴を行って楽曲を選択し購入するという方法もあるが、それでもやはり限定的な部分に限った視聴であるため、利用者は、気に入らない楽曲を購入してしまう可能性があるという問題が一例として挙げられる。
【課題を解決するための手段】
【０００８】
上述した課題を解決し、目的を達成するため、請求項１の発明にかかるコンテンツ再生装置は、所定のコンテンツを視聴または聴取可能に再生可能なコンテンツ再生装置において、有効期間において視聴または聴取可能なコンテンツ（以下、「期限付きコンテンツ」という）のうち、購入対象となる購入対象コンテンツの選択を受け付ける選択手段と、前記選択手段によって選択された購入対象コンテンツを特定する特定情報を生成する生成手段と、前記生成手段によって生成された特定情報を、複数のコンテンツを記録可能な機器に出力する出力手段と、を備えることを特徴とする。【０００９】
また、請求項５の発明にかかるコンテンツ記録装置は、複数のコンテンツを管理するコンテンツ管理サーバに対して、購入対象となる購入対象コンテンツの購入要求をおこなう要求手段と、前記要求手段によって前記購入要求がされた結果、前記コンテンツ管理サーバから前記購入対象コンテンツを受信する受信手段と、前記受信手段によって受信された前記購入対象コンテンツを記録媒体に記録する記録手段と、を備えることを特徴とする。【００１０】
また、請求項１０の発明にかかるコンテンツ再生方法は、所定のコンテンツを視聴または聴取可能に再生可能とするコンテンツ再生方法において、有効期間において視聴または聴取可能なコンテンツ（以下、「期限付きコンテンツ」という）のうち、購入対象となる購入対象コンテンツの選択を受け付ける選択工程と、前記選択工程によって選択された購入対象コンテンツを特定する特定情報を生成する生成工程と、前記生成工程によって生成された特定情報を、複数のコンテンツを記録可能な機器に出力する出力工程と、を含むことを特徴とする。【００１１】
また、請求項１１の発明にかかるコンテンツ記録方法は、複数のコンテンツを管理するコンテンツ管理サーバに対して、購入対象となる購入対象コンテンツの購入要求をおこなう要求工程と、前記要求工程によって前記購入要求がされた結果、前記コンテンツ管理サーバから前記購入対象コンテンツを受信する受信工程と、前記受信工程によって受信された前記購入対象コンテンツを記録媒体に記録する記録工程と、を含むことを特徴とする。【００１２】
また、請求項１２の発明にかかるコンテンツ再生プログラムは、請求項１０に記載のコンテンツ再生方法をコンピュータに実行させることを特徴とする。【００１３】
また、請求項１３の発明にかかるコンテンツ記録プログラムは、請求項１１に記載のコンテンツ記録方法をコンピュータに実行させることを特徴とする。【００１４】
また、請求項１４の発明にかかるコンピュータに読み取り可能な記録媒体は、請求項１２または請求項１３に記載のプログラムを記録したことを特徴とする。
【図面の簡単な説明】
【００１５】
【図１】図１は、本実施の形態にかかるコンテンツ再生装置の機能的構成の一例を示すブロック図である。
【図２】図２は、本実施の形態にかかるコンテンツ記録装置の機能的構成の一例を示すブロック図である。
【図３】図３は、本実施の形態にかかるコンテンツ再生装置の処理の内容を示すフローチャートである。
【図４】図４は、本実施の形態にかかるコンテンツ記録装置の処理の内容を示すフローチャートである。
【図５】図５は、本実施例１にかかる楽曲購入システムの概要を示す説明図である。
【図６】図６は、本実施例１にかかるサブスクリプションサービスサーバのハードウェア構成の一例を示すブロック図である。
【図７】図７は、本実施例１にかかるナビゲーション装置のハードウェア構成の一例を示すブロック図である。
【図８】図８は、本実施例１にかかるＰＣのハードウェア構成の一例を示すブロック図である。
【図９】図９は、本実施例１にかかるナビゲーション装置の処理の内容を示すフローチャートである。
【図１０】図１０は、本実施例１にかかるＰＣの処理の内容を示すフローチャートである。
【図１１】図１１は、本実施例２にかかるＰＣの処理の内容を示すフローチャートである。
【符号の説明】
【００１６】
１００  コンテンツ再生装置
１０１  選択部
１０２  生成部
１０３  出力部
２００  コンテンツ記録装置
２０１  要求部
２０２  受信部
２０３  記録部
２０４  取得部
【発明を実施するための最良の形態】
【００１７】
以下に添付図面を参照して、この発明にかかるコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体の好適な実施の形態を詳細に説明する。【００１８】
（実施の形態）
（コンテンツ再生装置の機能的構成）
図１を用いて、本実施の形態にかかるコンテンツ再生装置の機能的構成について説明する。図１は、本実施の形態にかかるコンテンツ再生装置の機能的構成の一例を示すブロック図である。【００１９】
図１において、所定のコンテンツを視聴または聴取可能に再生可能なコンテンツ再生装置１００は、選択部１０１と、生成部１０２と、出力部１０３と、から構成されている。なお、コンテンツ再生装置１００は、コンテンツを視聴または聴取可能に当該コンテンツを再生するように構成されている。すなわち、図１には明示していないが、コンテンツを再生出力する構成が備えられている。【００２０】
コンテンツ再生装置１００は、たとえば、移動体に搭載され、サブスクリプションサービスを用いて、所定の有効期間において視聴または聴取可能なコンテンツ（以下、期限付きコンテンツとよぶ）を再生可能とすることとしてもよい。サブスクリプションサービスは、たとえば、利用者が所定の契約料金を支払うことで、契約期間中に限り、利用者の再生端末などによって、所定のコンテンツ群のコンテンツのダウンロードや再生をおこなうことができるサービスである。【００２１】
なお、本明細書では、サブスクリプションサービスを利用して、所定のコンテンツ群のコンテンツをダウンロードあるいは再生することとして説明するが、コンテンツ群のコンテンツの代わりに映像データや楽曲などであってもよいし、その他各種情報データであってもよい。【００２２】
選択部１０１は、期限付きコンテンツのうち、購入対象となる購入対象コンテンツの選択を受け付ける。期限付きコンテンツは、たとえば、前述したサブスクリプションサービスによって提供される所定の有効期間内に限って視聴または聴取可能となるコンテンツである。なお、ここでは所定の有効期間に限って視聴または聴取可能な構成としたが、ダウンロードが可能な期間や、視聴（あるいは聴取）が可能な回数、すなわち再生できる回数を制限する構成でもよい。【００２３】
購入対象コンテンツは、たとえば、利用者が購入を所望するコンテンツなどで、前述した有効期間などの制限がないコンテンツをダウンロードすることとしてもよい。【００２４】
生成部１０２は、選択部１０１によって選択された購入対象コンテンツを特定する特定情報を生成する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。【００２５】
出力部１０３は、生成部１０２によって生成された特定情報を、複数のコンテンツを記録可能な機器に出力する。複数のコンテンツを記録可能な機器は、たとえば、コンテンツ再生装置１００を所有する利用者のパーソナルコンピュータなどであってもよく、所定の記録媒体によって複数のコンテンツを記録し管理する機器でもよい。また、複数のコンテンツを記録可能な機器は、複数のコンテンツを記録可能であれば、コンテンツ再生装置１００自体であってもよいし、図示しない所定の外部サーバなどであってもよい。なお、本明細書においては、この複数のコンテンツを記録可能な機器（以下、コンテンツ記録装置とよぶ）を主にコンテンツの購入ができる機器として位置付けている。【００２６】
（コンテンツ記録装置の機能的構成）
つづいて、図２を用いて、本実施の形態にかかるコンテンツ記録装置の機能的構成について説明する。図２は、本実施の形態にかかるコンテンツ記録装置の機能的構成の一例を示すブロック図である。【００２７】
図２において、コンテンツ記録装置２００は、要求部２０１と、受信部２０２と、記録部２０３と、取得部２０４と、から構成されている。【００２８】
コンテンツ記録装置２００は、たとえば、家などに在り、コンテンツ購入サービスを利用して購入したコンテンツをダウンロードし、購入したコンテンツの保管、管理及び再生や複製を可能とすることとしてもよい。コンテンツ購入サービスは、たとえば、利用者が利用者の再生端末などによって、所定のコンテンツ群のコンテンツの中から購入するコンテンツを選択し所定の料金を支払うことで、選択したコンテンツをダウンロードして再生端末などに保管し、以後は期間の制限無く再生をおこなうことができるサービスである。また一般には購入したコンテンツは所定のルールの下に複製も許可される。【００２９】
要求部２０１は、複数のコンテンツを管理するコンテンツ管理サーバに対して、購入対象となる購入対象コンテンツの購入要求をおこなう。コンテンツ管理サーバは、たとえば、サブスクリプションサービスを実施するサーバと同一のサーバであってもよいし、サブスクリプションサービスとは異なるサーバであってもよい。換言すれば、サブスクリプションサービスを実施するサーバは、たとえば、所定の有効期間において視聴または聴取可能とするためのコンテンツを管理し、コンテンツ管理サーバは、コンテンツ購入サービスを実施するサーバであって、購入対象となるコンテンツを管理する構成としてもよい。【００３０】
また、たとえば、コンテンツ購入サービスにおける購入対象コンテンツと、サブスクリプションサービスにおける期限付きコンテンツは共通のコンテンツを用いていて、それらは共通のコンテンツ管理サーバで管理されており、再生端末からの利用アクセスがどちらのサービスのアクセスであるかに応じて権利サーバがコンテンツにその都度期限付きか購入かの権利の付与を行った上で再生端末にコンテンツを送信する構成としてもよい。【００３１】
また、要求部２０１は、後述する取得部２０４によって取得された特定情報を用いて、コンテンツ管理サーバが管理する複数のコンテンツの中から、特定情報によって特定される購入対象コンテンツの購入要求をおこなうこととしてもよい。【００３２】
受信部２０２は、要求部２０１によって購入要求がされた結果、コンテンツ管理サーバから購入対象コンテンツを受信する。具体的には、たとえば、受信部２０２は、要求部２０１によって購入要求がされた結果、購入対象コンテンツの対価が支払われた場合に、購入対象コンテンツの対価の支払いに関する課金情報を管理するコンテンツ管理サーバから購入対象コンテンツを受信することとしてもよい。【００３３】
すなわち、コンテンツ管理サーバは、購入要求があった購入対象コンテンツについて、対価の支払いがあった場合に受信部２０２に対して購入対象コンテンツを送信し、対価の支払いがない場合は、対価の要求をおこなう構成としてもよい。【００３４】
記録部２０３は、受信部２０２によって受信された購入対象コンテンツを図示しない記録媒体に記録する。購入対象コンテンツの記録は、たとえば、複数記録する構成でもよく、これにより利用者は、購入対象コンテンツの一元管理が可能となる。【００３５】
取得部２０４は、購入対象コンテンツを特定する特定情報を取得する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。【００３６】
また、特定情報の取得は、たとえば、外部の機器から受信することとしてもよいし、利用者からの入力を受け付けることとしてもよい。【００３７】
（コンテンツ再生装置の処理の内容）
つぎに、図３を用いて、本実施の形態にかかるコンテンツ再生装置１００の処理の内容について説明する。図３は、本実施の形態にかかるコンテンツ再生装置の処理の内容を示すフローチャートである。図３のフローチャートにおいて、まず、選択部１０１によって、購入対象コンテンツの選択を受け付けたか否かを判断する（ステップＳ３０１）。購入対象コンテンツの選択は、たとえば、利用者が図示しない操作部を操作することによっておこなわれる構成でもよい。【００３８】
ステップＳ３０１において、購入対象コンテンツの選択を受け付けるのを待って、受け付けた場合（ステップＳ３０１：Ｙｅｓ）は、生成部１０２によって、ステップＳ３０１において選択された購入対象コンテンツを特定する特定情報を生成する（ステップＳ３０２）。生成した特定情報は、複数のコンテンツを記録可能な機器に対して出力するまで、コンテンツ再生装置１００内に保管し、利用者は一覧表示等で特定情報を生成した購入対象コンテンツの参照が出来、またコンテンツを記録可能な機器に対して出力する特定情報を後から選択できるようにしてもよい。【００３９】
そして、出力部１０３によって、複数のコンテンツを記録可能な機器に対して、ステップＳ３０２において生成された特定情報を出力して（ステップＳ３０３）、一連の処理を終了する。【００４０】
（コンテンツ記録装置の処理の内容）
つづいて、図４を用いて、本実施の形態にかかるコンテンツ記録装置２００の処理の内容について説明する。図４は、本実施の形態にかかるコンテンツ記録装置の処理の内容を示すフローチャートである。図４のフローチャートにおいて、まず、要求部２０１によって、複数のコンテンツを管理するコンテンツ管理サーバに対して、コンテンツ再生装置１００からの特定情報に基づき購入対象となる購入対象コンテンツの購入要求をおこなう（ステップＳ４０１）。【００４１】
つぎに、受信部２０２によって、ステップＳ４０１において購入要求がされた結果、コンテンツ管理サーバから購入対象コンテンツを受信する（ステップＳ４０２）。【００４２】
そして、記録部２０３によって、ステップＳ４０２において受信された購入対象コンテンツを記録して（ステップＳ４０３）、一連の処理を終了する。購入対象コンテンツの記録は、たとえば、所定の記録媒体に複数記録する構成でもよい。【００４３】
以上説明したように、本実施の形態にかかるコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体によれば、所定の有効期間において視聴または聴取可能な期限付きコンテンツから購入対象コンテンツを選択できるため、利用者は、コンテンツの内容を十分確認した上で購入することができる。【００４４】
また、サブスクリプションサービスによって提供された期限付きコンテンツを購入すると、複数のコンテンツが記録可能な所定の記録媒体へ記録することとなるため、利用者は、購入したコンテンツの一元管理が可能となる。すなわち、移動体に搭載されたコンテンツ再生装置とは別のコンテンツ記録装置に購入対象コンテンツを記録することで、利用者は、購入したコンテンツの再生や複製などの利便性を高めることができる。【００４５】
また、移動体に搭載されたコンテンツ再生装置によって購入対象コンテンツの受信をおこなわずに、購入対象コンテンツの受信をコンテンツ記録装置でおこなう構成となっている。したがって、通信環境が不安定になることなく購入対象コンテンツの取得ができる。
【実施例１】
【００４６】
以下に、本発明の実施例１について説明する。本実施例１では、たとえば、車両（四輪車、二輪車を含む）などの移動体に搭載されるナビゲーション装置によって、本発明のコンテンツ再生装置を実施し、ナビゲーション装置とは異なる場所に設置されたＰＣ（パーソナルコンピュータ）によって、本発明のコンテンツ記録装置を実施した場合の一例について説明する。【００４７】
（システムの概要）
まず、図５を用いて、本実施例１にかかるコンテンツの購入の一例として楽曲を購入する楽曲購入システムの概要について説明する。図５は、本実施例１にかかる楽曲購入システムの概要を示す説明図である。【００４８】
図５において、楽曲購入システム５００は、サブスクリプションサービスサーバ５０１と、ナビゲーション装置５０２と、ＰＣ５０３と、再生端末５０４と、から構成されている。サブスクリプションサービスサーバ５０１と、ナビゲーション装置５０２と、ＰＣ５０３とは、それぞれインターネット５１０を介して接続されており、ナビゲーション装置５０２と、ＰＣ５０３と、再生端末５０４は、それぞれ同一の利用者５５０が所有していることとする。【００４９】
なお、図５の説明では、ナビゲーション装置５０２と、ＰＣ５０３と、再生端末５０４は、同一の利用者５５０が所有することとしたが、それぞれ異なっていてもよく、その場合、それぞれが友人や家族など利用者５５０によって把握可能な所有としてもよい。【００５０】
サブスクリプションサービスサーバ５０１は、利用者５５０との間における、所定の楽曲の配信に関する契約に基づいて、利用者５５０の所有するナビゲーション装置５０２やＰＣ５０３へ楽曲を配信する。楽曲の配信は、ナビゲーション装置５０２やＰＣ５０３に限ることなく、利用者５５０との間の契約に応じて登録される端末に対しておこなうこととしてもよい。【００５１】
具体的には、たとえば、サブスクリプションサービスサーバ５０１によって、利用者５５０は、登録されたナビゲーション装置５０２やＰＣ５０３などの所定の端末を通じて、契約した期間に応じて、サブスクリプションサービスサーバ５０１が用意する楽曲群の楽曲から、好きな楽曲を好きなだけダウンロードあるいは再生して、聴取することができる。【００５２】
より具体的には、たとえば、サブスクリプションサービスサーバ５０１は、楽曲データを保管管理するコンテンツサーバや、利用者５５０の端末認証と、楽曲の有効期間を設定管理する認証サーバや、利用者５５０との間における契約情報と課金情報を管理する課金サーバなどからなるサーバ群から構成されていてもよい。サーバ群は、たとえば、３つでなくてもよく、コンテンツサーバ、認証サーバ、課金サーバのうちいずれか一つ以上の機能を有するサーバからなり、すべての機能を実現できる構成であればよい。【００５３】
ここで、サブスクリプションサービスサーバ５０１による楽曲の配信の概要について説明する。サブスクリプションサービスサーバ５０１は、利用者５５０との間の契約に応じて登録されたナビゲーション装置５０２やＰＣ５０３などの所定の端末から、楽曲のダウンロードの要求を受け付けると、認証サーバの機能によって、有効な契約がされた利用者５５０であるか否か認証をおこなう。【００５４】
さらに、サブスクリプションサービスサーバ５０１は、課金サーバの機能によって管理された利用者５５０の契約情報に応じて、コンテンツサーバの機能によって保管管理された楽曲群から配信する楽曲を設定する。具体的には、たとえば、配信する楽曲は、ナビゲーション装置５０２やＰＣ５０３などから要求された楽曲について、契約情報や課金情報に応じた有効期間を設定して配信することとなる。また、有効期間の代わり、あるいは加えて、許可する再生回数を設定して配信してもよい。【００５５】
ここで、有効期間は、たとえば、利用者５５０の支払い状況に応じて更新されることとしてもよく、配信の終了日のみならず、開始日と終了日をあわせた情報であってもよい。また、配信の期日の代わりに、再生可能な期日を設定してもよく、利用の可否に関する情報でもよい。【００５６】
なお、本実施例１では、配信する楽曲に対して、サブスクリプションサービスサーバ５０１によって有効期間を設定する構成としているが、それぞれの端末によって設定できる構成としてもよい。具体的には、たとえば、端末が契約情報や課金情報を取得して、契約情報や課金情報に応じて楽曲の再生をおこなうこととしてもよい。【００５７】
ナビゲーション装置５０２は、車両など移動体に搭載されており、車両の経路誘導などをおこなう他に、記録媒体に記録されたコンテンツや、通信機能によって取得されたコンテンツの再生をおこなう。【００５８】
具体的には、たとえば、サブスクリプションサービスサーバ５０１によって配信される楽曲の聴取をおこなうことができる。楽曲の配信は通信機能を利用して行ってもよいし、記録媒体に記録し郵送等で配布してもよい。また配信される楽曲は、たとえば、聴取可能な有効期間が設定されており、ストリーミング方式やダウンロード方式でもよいが、本実施例１では、ダウンロード方式について説明する。【００５９】
より具体的には、たとえば、ナビゲーション装置５０２は、所定の楽曲の配信に関する契約をおこなった利用者５５０が所有しており、図示しない表示部や音声出力部などによって利用可能な楽曲のリストや情報を参照する機能を有している。そして、図示しない操作部などによって、利用者５５０から聴取したい楽曲の選択を受け付けて、楽曲のダウンロードと、ダウンロード済みの楽曲の再生をおこなうことができる。ダウンロード中に同時再生ができてもよい。【００６０】
再生する楽曲は、たとえば、サブスクリプションサービスサーバ５０１から１曲あるいは複数曲ダウンロードすることとしてもよい。ダウンロードされた楽曲は、契約に応じた有効期間に限って聴取可能な曲でもよい。【００６１】
ここで、本実施例１では、所定の有効期間に限って聴取している楽曲について、利用者５５０が購入を希望した場合に、その楽曲の購入をすることができる。具体的には、たとえば、利用者５５０が購入したい楽曲を選択すると、ナビゲーション装置５０２は、その楽曲を特定するための特定情報を生成して、登録する。そして、ナビゲーション装置５０２は、登録した特定情報を後述するＰＣ５０３へ転送して、ＰＣ５０３によって購入したい楽曲に対する対価の支払いがおこなわれることを条件に、楽曲の購入ができる。【００６２】
ＰＣ５０３は、ナビゲーション装置５０２から転送された特定情報によって特定される楽曲を、その楽曲を販売可能なサーバから購入する。販売可能なサーバは、たとえば、前述したサブスクリプションサービスサーバ５０１とは異なるサーバであっても、サブスクリプションサービスサーバ５０１と同一のサーバであってもよい。【００６３】
具体的には、たとえば、楽曲の購入は、利用者５５０が購入したい楽曲の対価を支払った旨を示す課金情報および購入したい楽曲を特定する特定情報を含む購入要求を販売可能なサーバが取得すると、購入した楽曲をＰＣ５０３に送信する構成である。【００６４】
そして、ＰＣ５０３によって、購入した楽曲の複製をナビゲーション装置５０２や、再生端末５０４へ転送することで、利用者５５０は、ナビゲーション装置５０２や、再生端末５０４によって、購入した楽曲を有効期間を気にすることなく聴取することができる。【００６５】
なお、購入した楽曲の複製は、複製許容回数が設定されていてもよく、たとえば、複製許容回数は、ＰＣ５０３に記録された楽曲について３回（３端末分）の複製に制限されていることとしてもよい。【００６６】
楽曲が販売可能なサーバは、サブスクリプションサービスサーバ５０１と同一であっても異なっていてもよいが、サブスクリプションサービスによって一時的に聴取している楽曲を購入することを前提とする構成でもよい。具体的には、たとえば、利用者５５０は、サブスクリプションサービスの契約によって所定の利用料金を支払っている場合、購入する楽曲に所定の割引を適用することとしてもよい。【００６７】
この場合、特定情報にサブスクリプションサービスに関する契約情報などを含めることとすればよい。そして、販売可能なサーバは、特定情報に含まれる契約情報を参照して、楽曲の料金の割引をおこなうこととしてもよい。【００６８】
契約情報は、たとえば、楽曲が販売可能なサーバがサブスクリプションサービスサーバ５０１と異なる場合は、販売可能なサーバがサブスクリプションサービスサーバ５０１に問い合わせることとしてもよい。また、楽曲が販売可能なサーバは、たとえば、認証サーバや課金サーバの機能をサブスクリプションサービスサーバ５０１と共有する構成としてもよい。【００６９】
さらに、販売可能なサーバは、特定情報とともに、特定情報を取得した日時や利用者５５０の登録端末の情報を取得する構成とすれば、特定情報を取得した日時が、サブスクリプションサービスの契約期間中であることを確認した上で、現在サブスクリプションサービスの契約期間外であっても、契約期間中の特定情報を取得していれば購入可能としてもよい。【００７０】
特定情報は、たとえば、サブスクリプションサービスサーバ５０１から配信される楽曲に応じて生成されるが、サブスクリプションサービスサーバ５０１と楽曲の販売可能なサーバが異なる場合、販売可能なサーバであってもその特定情報によって楽曲が特定できるようにする必要がある。すなわち、サブスクリプションサービスサーバ５０１および販売可能なサーバで楽曲を特定する際の特定情報のデータの共通化あるいは両サーバの楽曲リストを関連づけて相互に読替可能とすればよい。【００７１】
また、特定情報は、たとえば、販売可能なサーバによって楽曲を特定できる情報であればよいが、サブスクリプションサービスの利用に応じて所定曲数の購入できる情報を付加してもよいし、利用者５５０によるサブスクリプションサービスの利用状況や利用ポイントに関する情報を付加してもよい。このようにして、サブスクリプションサービスと購入を密接に関連づければ、利用者５５０は、楽曲の聴取を利用して購入意欲が惹起され、サブスクリプションサービスの利用拡大および楽曲の販売促進を図ることができる。【００７２】
（サブスクリプションサービスサーバ５０１のハードウェア構成）
ここで、図６を用いて、本実施例１にかかるサブスクリプションサービスサーバ５０１のハードウェア構成について説明する。図６は、本実施例１にかかるサブスクリプションサービスサーバのハードウェア構成の一例を示すブロック図である。なお、以降の本実施例１では、サブスクリプションサービスサーバ５０１と楽曲の販売可能なサーバを同一のサーバとして説明する。【００７３】
図６において、サブスクリプションサービスサーバ５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、スピーカ６０９と、入力デバイス６１０と、映像Ｉ／Ｆ６１１と、ディスプレイ６１２と、通信Ｉ／Ｆ６１３と、を備えている。また、各構成部６０１〜６１３はバス６２０によってそれぞれ接続されている。【００７４】
まず、ＣＰＵ６０１は、サブスクリプションサービスサーバ５０１の全体の制御を司る。ＲＯＭ６０２は、ブートプログラム、通信プログラム、データ管理プログラムなどの各種プログラムを記録している。また、ＲＡＭ６０３は、ＣＰＵ６０１のワークエリアとして使用される。【００７５】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。【００７６】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱可能な記録媒体として、光ディスク６０７のほか、ＭＯ、メモリカードなどであってもよい。【００７７】
音声Ｉ／Ｆ６０８は、音声出力用のスピーカ６０９に接続され、スピーカ６０９からは音声が出力される。【００７８】
入力デバイス６１０は、文字、数値、各種指示などの入力のための複数のキーを備えたリモコン、キーボード、マウス、タッチパネルなどが挙げられる。【００７９】
映像Ｉ／Ｆ６１１は、ディスプレイ６１２と接続される。映像Ｉ／Ｆ６１１は、具体的には、たとえば、ディスプレイ６１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ６１２を表示制御する制御ＩＣなどによって構成される。【００８０】
ディスプレイ６１２には、アイコン、カーソル、メニュー、ウインドウ、あるいは文字や画像などの各種データが表示される。このディスプレイ６１２は、たとえば、ＣＲＴ、ＴＦＴ液晶ディスプレイ、プラズマディスプレイなどを採用することができる。【００８１】
通信Ｉ／Ｆ６１３は、無線を介してネットワークに接続され、サブスクリプションサービスサーバ５０１とＣＰＵ６０１とのインターフェースとして機能する。通信Ｉ／Ｆ６１３は、さらに、無線を介してインターネット５１０などの通信網に接続され、この通信網とＣＰＵ６０１とのインターフェースとしても機能する。【００８２】
通信網には、ＬＡＮ、ＷＡＮ、公衆回線網や携帯電話網などがある。具体的には、通信Ｉ／Ｆ６１３は、たとえば、ＦＭチューナーなどによって構成される。【００８３】
なお、詳細は図９〜図１１を用いて説明するが、サブスクリプションサービスサーバ５０１は、図７および図８に示すナビゲーション装置５０２およびＰＣ５０３と通信をおこなってコンテンツを提供する構成である。ここで、コンテンツは、たとえば、図５に示した楽曲などでもよい。【００８４】
（ナビゲーション装置５０２のハードウェア構成）
つづいて、図７を用いて、本実施例１にかかるナビゲーション装置５０２のハードウェア構成について説明する。図７は、本実施例１にかかるナビゲーション装置のハードウェア構成の一例を示すブロック図である。【００８５】
図７において、ナビゲーション装置５０２は、車両などの移動体に搭載されており、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、スピーカ７０９と、入力デバイス７１０と、映像Ｉ／Ｆ７１１と、ディスプレイ７１２と、通信Ｉ／Ｆ７１３と、ＧＰＳユニット７１４と、各種センサ７１５と、を備えている。また、各構成部７０１〜７１５はバス７２０によってそれぞれ接続されている。【００８６】
まず、ＣＰＵ７０１は、ナビゲーション装置５０２の全体の制御を司る。ＲＯＭ７０２は、ブートプログラム、経路探索プログラム、経路誘導プログラム、通信プログラム、コンテンツ再生プログラムなどの各種プログラムを記録している。また、ＲＡＭ７０３は、ＣＰＵ７０１のワークエリアとして使用される。【００８７】
詳細は図９を用いて説明するが、コンテンツ再生プログラム、通信プログラムは、サブスクリプションサービスサーバ５０１から提供されるコンテンツを再生させる。また、購入したコンテンツの複製の受信および再生をさせることとしてもよい。【００８８】
経路探索プログラムは、後述する磁気ディスク７０５や光ディスク７０７に記録されている地図情報などを利用して、出発地点から目的地点までの最適な経路を探索させる。ここで、最適な経路とは、目的地点までの最短（あるいは最速）経路や利用者が指定した条件に最も合致する経路などである。【００８９】
経路誘導プログラムは、経路探索プログラムを実行することによって探索された誘導経路情報、現在地点算出プログラムを実行することによって算出された車両の現在地点情報、後述する磁気ディスク７０５や光ディスク７０７から読み出された地図情報に基づいて、リアルタイムな経路誘導情報の生成をおこなわせる。経路誘導プログラムを実行することによって生成された経路誘導情報は、ＣＰＵ７０１を介して音声Ｉ／Ｆ７０８や映像Ｉ／Ｆ７１１へ出力される。【００９０】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、たとえば、ＨＤ（ハードディスク）やＦＤ（フレキシブルディスク）を用いることができる。【００９１】
光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータの読み出される着脱自在な記録媒体である。光ディスク７０７は、書き込み可能な記録媒体を利用することもできる。また、この着脱可能な記録媒体として、光ディスク７０７のほか、ＭＯ、メモリカードなどであってもよい。【００９２】
音声Ｉ／Ｆ７０８は、音声出力用のスピーカ７０９に接続され、スピーカ７０９からは音声が出力される。【００９３】
入力デバイス７１０は、文字、数値、各種指示などの入力のための複数のキーを備えたリモコン、キーボード、マウス、タッチパネルなどが挙げられる。【００９４】
映像Ｉ／Ｆ７１１は、ディスプレイ７１２と接続される。映像Ｉ／Ｆ７１１は、具体的には、たとえば、ディスプレイ７１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１２を表示制御する制御ＩＣなどによって構成される。【００９５】
ディスプレイ７１２には、アイコン、カーソル、メニュー、ウインドウ、あるいは文字や画像などの各種データが表示される。このディスプレイ７１２は、たとえば、ＣＲＴ、ＴＦＴ液晶ディスプレイ、プラズマディスプレイなどを採用することができる。【００９６】
通信Ｉ／Ｆ７１３は、無線を介してネットワークに接続され、ナビゲーション装置５０２とＣＰＵ７０１とのインターフェースとして機能する。通信Ｉ／Ｆ７１３は、さらに、無線を介してインターネット５１０などの通信網に接続され、この通信網とＣＰＵ７０１とのインターフェースとしても機能する。【００９７】
通信網には、ＬＡＮ、ＷＡＮ、公衆回線網や携帯電話網などがある。具体的には、通信Ｉ／Ｆ７１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ７１３は、たとえば、図示しないサーバなどからスケジュール情報やプロフィール情報を取得する構成でもよい。【００９８】
ＧＰＳユニット７１４は、ＧＰＳ衛星からの電波を受信し、車両の現在地点を示す情報を出力する。ＧＰＳユニット７１４の出力情報は、後述する各種センサ７１５の出力値とともに、ＣＰＵ７０１による車両の現在地点の算出に際して利用される。現在地点を示す情報は、たとえば緯度・経度、高度などの、地図情報上の１点を特定する情報である。【００９９】
各種センサ７１５は、車速センサや加速度センサ、角速度センサなどを含み、車両の位置や挙動を判断することが可能な情報を出力する。各種センサ７１５の出力値は、ＣＰＵ７０１による車両の現在地点の算出や、速度や方位の変化量の測定などに用いられる。【０１００】
なお、実施の形態にかかるコンテンツ再生装置１００の機能的構成のうち、選択部１０１は入力デバイス７１０や通信Ｉ／Ｆ７１３によって、生成部１０２は磁気ディスク７０５や光ディスク７０７などの記録媒体に記録された各種プログラムをＣＰＵ７０１が実行することによって、出力部１０３は通信Ｉ／Ｆ７１３によって、それぞれその機能を実現する。【０１０１】
（ＰＣ５０３のハードウェア構成）
つづいて、図８を用いて、本実施例１にかかるＰＣ５０３のハードウェア構成について説明する。図８は、本実施例１にかかるＰＣのハードウェア構成の一例を示すブロック図である。【０１０２】
図８において、ＰＣ５０３は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、スピーカ８０９と、入力デバイス８１０と、映像Ｉ／Ｆ８１１と、ディスプレイ８１２と、通信Ｉ／Ｆ８１３と、を備えている。また、各構成部８０１〜８１３はバス８２０によってそれぞれ接続されている。【０１０３】
まず、ＣＰＵ８０１は、ＰＣ５０３の全体の制御を司る。ＲＯＭ８０２は、ブートプログラム、通信プログラム、コンテンツ記録プログラムなどの各種プログラムを記録している。また、ＲＡＭ８０３は、ＣＰＵ８０１のワークエリアとして使用される。【０１０４】
詳細は図１０および図１１を用いて説明するが、通信プログラム、コンテンツ記録プログラムは、サブスクリプションサービスサーバ５０１やナビゲーション装置５０２などと通信をさせて、コンテンツの購入および記録・管理をさせる。また、購入したコンテンツの複製を生成してナビゲーション装置５０２や再生端末５０４へ転送させてもよい。【０１０５】
磁気ディスクドライブ８０４は、ＣＰＵ８０１の制御にしたがって磁気ディスク８０５に対するデータの読み取り／書き込みを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。【０１０６】
光ディスクドライブ８０６は、ＣＰＵ８０１の制御にしたがって光ディスク８０７に対するデータの読み取り／書き込みを制御する。光ディスク８０７は、光ディスクドライブ８０６の制御にしたがってデータの読み出される着脱自在な記録媒体である。光ディスク８０７は、書き込み可能な記録媒体を利用することもできる。また、この着脱可能な記録媒体として、光ディスク８０７のほか、ＭＯ、メモリカードなどであってもよい。【０１０７】
音声Ｉ／Ｆ８０８は、音声出力用のスピーカ８０９に接続され、スピーカ８０９からは音声が出力される。【０１０８】
入力デバイス８１０は、文字、数値、各種指示などの入力のための複数のキーを備えたリモコン、キーボード、マウス、タッチパネルなどが挙げられる。【０１０９】
映像Ｉ／Ｆ８１１は、ディスプレイ８１２と接続される。映像Ｉ／Ｆ８１１は、具体的には、たとえば、ディスプレイ８１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１２を表示制御する制御ＩＣなどによって構成される。【０１１０】
ディスプレイ８１２には、アイコン、カーソル、メニュー、ウインドウ、あるいは文字や画像などの各種データが表示される。このディスプレイ８１２は、たとえば、ＣＲＴ、ＴＦＴ液晶ディスプレイ、プラズマディスプレイなどを採用することができる。【０１１１】
通信Ｉ／Ｆ８１３は、無線を介してネットワークに接続され、ＰＣ５０３とＣＰＵ８０１とのインターフェースとして機能する。通信Ｉ／Ｆ８１３は、さらに、無線を介してインターネット５１０などの通信網に接続され、この通信網とＣＰＵ８０１とのインターフェースとしても機能する。【０１１２】
通信網には、ＬＡＮ、ＷＡＮ、公衆回線網や携帯電話網などがある。具体的には、通信Ｉ／Ｆ８１３は、たとえば、ＦＭチューナーなどによって構成される。【０１１３】
なお、実施の形態にかかるコンテンツ記録装置２００の機能的構成のうち、要求部２０１や受信部２０２や取得部２０４は通信Ｉ／Ｆ８１３によって、記録部２０３は磁気ディスクドライブ８０４や光ディスクドライブ８０６によって、それぞれその機能を実現する。【０１１４】
（ナビゲーション装置５０２の処理の内容）
つぎに、図９を用いて、本実施例１にかかるナビゲーション装置５０２の処理の内容について説明する。図９は、本実施例１にかかるナビゲーション装置の処理の内容を示すフローチャートである。図９のフローチャートにおいて、まず、ナビゲーション装置５０２は、利用者５５０によって、サブスクリプションサービスの契約を実施したか否かを判断する（ステップＳ９０１）。【０１１５】
サブスクリプションサービスは、たとえば、サブスクリプションサービスサーバ５０１を用いて、利用者５５０との間における、所定のコンテンツ（たとえば、図５に示した楽曲など）の配信に関する契約に基づいて、利用者５５０の所有する端末へコンテンツを配信する。サブスクリプションサービスサーバ５０１によるコンテンツの配信は、ナビゲーション装置５０２やＰＣ５０３に限ることなく、利用者５５０との間の契約に応じて登録される端末に対しておこなうこととしてもよい。【０１１６】
サブスクリプションサービスを契約したか否かの判断は、たとえば、ＣＰＵ７０１によって、利用者５５０がサブスクリプションサービスサーバ５０１を管理する事業者と契約をした時点で、磁気ディスク７０５や光ディスク７０７などの記録媒体に記録される契約情報を参照しておこなってもよい。【０１１７】
ステップＳ９０１において、サブスクリプションサービスの契約を実施するのを待って、実施した場合（ステップＳ９０１：Ｙｅｓ）は、通信Ｉ／Ｆ７１３によって、サブスクリプションサービスサーバ５０１から期限付きコンテンツをダウンロードして（ステップＳ９０２）、磁気ディスク７０５や光ディスク７０７などの記録媒体に記録する。【０１１８】
期限付きコンテンツは、たとえば、サブスクリプションサービスサーバ５０１によって設定された有効期間に限って視聴または聴取可能とするコンテンツであり、サブスクリプションサービスの契約に応じて変更可能な期間でもよい。【０１１９】
また、図９の説明では、期限付きコンテンツを視聴または聴取する際に、ダウンロードして磁気ディスク７０５や光ディスク７０７などの記録媒体に記録する構成としたが、期限付きコンテンツをストリーミング方式を用いて視聴または聴取する構成でもよい。【０１２０】
つぎに、入力デバイス７１０によって、ステップＳ９０２においてダウンロードされた期限付きコンテンツの中から利用者５５０が購入したいコンテンツが選択されたか否かを判断する（ステップＳ９０３）。購入したいコンテンツの選択は、たとえば、複数の期限付きコンテンツを一括に選択してもよく、ステップＳ９０２においてダウンロードした期限付きコンテンツのリストから選択する構成でもよい。また、購入したいコンテンツの選択は、たとえば、期限付きコンテンツを視聴または聴取した後に選択可能としてもよく、このようにすれば、利用者５５０は、購入したいコンテンツを視聴または聴取してから慎重に選択することができる。【０１２１】
ステップＳ９０３において、購入したいコンテンツが選択された場合（ステップＳ９０３：Ｙｅｓ）は、ＣＰＵ７０１によって、ステップＳ９０３において選択されたコンテンツを特定する特定情報を生成する（ステップＳ９０５）。特定情報は、たとえば、コンテンツのタイトル名称や著作者名などのメタデータ、著作権ナンバーなどのコンテンツＩＤ、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。【０１２２】
また、ステップＳ９０３において、購入したいコンテンツの選択は、その時点で購入すると決定していなくとも視聴または聴取していて気に入った楽曲が再生されたときにスイッチを押すなどの操作によりその楽曲を選択し、それに基づきステップＳ９０５により特定情報を生成保存しておいて、後で保存した特定情報の中から購入する楽曲を選択することにしてもよい。このとき、ステップＳ９０３において楽曲を選択したときに生成する特定情報は簡易なものとし、後で購入する楽曲を選択したときに、選択した楽曲について改めて購入要求の目的に合致した情報を含む特定情報を改めて生成してもよい。【０１２３】
つぎに、通信Ｉ／Ｆ７１３によって、ＰＣ５０３に対してステップＳ９０５において生成された特定情報を送信する（ステップＳ９０６）。また、生成した特定情報の内、利用者５５０が購入すると決定した楽曲の特定情報のみを選択して送信することとしてもよい。なお、ＰＣ５０３による、特定情報の受信およびコンテンツの購入に関する処理については、図１０に後述する。【０１２４】
そして、ステップＳ９０６において特定情報を送信した結果、通信Ｉ／Ｆ７１３によって、ＰＣ５０３から転送されるコンテンツの複製を受信して（ステップＳ９０７）、一連の処理を終了する。コンテンツの複製は、たとえば、ＰＣ５０３によって、購入されたコンテンツを複製し、複製したコンテンツを受信することで、ナビゲーション装置５０２では、有効期間を気にすることなく視聴または聴取できるコンテンツを取得することができる。【０１２５】
ここで、ステップＳ９０６における特定情報の送信は、ＰＣ５０３に対しておこなう構成としたが、その他、利用者５５０が所有あるいは管理している、コンテンツを記録する所定の記録媒体を具備する機器であればよい。また、利用者５５０が所有あるいは管理しているどの機器からコンテンツを購入するかその時点で決まっていなければ可能性のある複数の機器に特定情報を送信してもよい。さらに、ナビゲーション装置５０２の記録媒体に記録することとしてもよく、その場合、特定情報に基づいてサブスクリプションサービスサーバ５０１に対して購入要求をおこなうことにより、購入したいコンテンツを取得する。なお、購入要求については、図１０に後述する。【０１２６】
ここで、ステップＳ９０３に戻って、購入したいコンテンツが選択されない場合（ステップＳ９０３：Ｎｏ）は、ＣＰＵ７０１によって、ステップＳ９０１において実施した契約期間が継続中か否かを判断する（ステップＳ９０４）。【０１２７】
契約期間が継続中か否かの判断は、たとえば、契約情報と現在の日時を比較しておこなってもよいし、サブスクリプションサービスの利用の可否情報を取得しておこなってもよい。【０１２８】
ステップＳ９０４において、契約期間が継続中の場合（ステップＳ９０４：Ｙｅｓ）は、ステップＳ９０２に戻って処理を繰り返す。なお、図９の説明ではステップＳ９０２に戻って処理を繰り返す構成としたが、既にダウンロード済のコンテンツの視聴または聴取を継続することとしてもよい。【０１２９】
また、ステップＳ９０４において、契約期間が継続中でない場合（ステップＳ９０４：Ｎｏ）は、ステップＳ９０１に戻って処理を繰り返す。すなわち、利用者５５０は、契約期間が経過したら、再契約をすることによってサブスクリプションサービスの提供を受けることができ、ステップＳ９０４において、契約期間が継続中でない場合（ステップＳ９０４：Ｎｏ）は、再契約を促すステップを設けてもよい。【０１３０】
（ＰＣ５０３の処理の内容）
つづいて、図１０を用いて、本実施例１にかかるＰＣ５０３の処理の内容について説明する。図１０は、本実施例１にかかるＰＣの処理の内容を示すフローチャートである。図１０のフローチャートにおいて、まず、通信Ｉ／Ｆ８１３によって、ナビゲーション装置５０２から特定情報を受信したか否かを判断する（ステップＳ１００１）。特定情報は、たとえば、利用者５５０が購入したいコンテンツを特定する情報である。【０１３１】
ステップＳ１００１において、特定情報を受信するのを待って、受信した場合（ステップＳ１００１：Ｙｅｓ）は、通信Ｉ／Ｆ８１３によって、ステップＳ１００１において受信した特定情報によって特定されるコンテンツの購入要求をおこなう（ステップＳ１００２）。【０１３２】
このとき、改めて利用者５５０に購入意向を確認するステップを加えてもよい。またこのとき、たとえば受信済みの特定情報による購入を実施した場合の購入金額を販売可能なサーバなどから取得し、それを参照しながら利用者５５０が改めて受信済みの特定情報の中から、購入したいコンテンツを決定するステップを加えてもよい。また、ＰＣ５０３やサブスクリプションサービスサーバ５０１あるいはナビゲーション装置５０２が、利用者５５０が既に購入したコンテンツを検索し、ＰＣ５０３が受信した特定情報あるいはサブスクリプションサービスサーバ５０１が受信したコンテンツの購入要求の中に既に購入したコンテンツに該当するコンテンツがあれば、それを利用者５５０に通知し、自動で又は利用者５５０の指示によりコンテンツの購入要求から該当コンテンツを除くステップを加えてもよい。【０１３３】
コンテンツの購入要求は、たとえば、利用者５５０によって購入したいコンテンツの対価の支払いがおこなわれることを条件に、そのコンテンツを販売可能なサーバに対しておこなう。なお、本実施例１において販売可能なサーバは、サブスクリプションサービスサーバ５０１とする。【０１３４】
つぎに、通信Ｉ／Ｆ８１３によって、ステップＳ１００２において購入要求をおこなったコンテンツを受信したか否かを判断する（ステップＳ１００３）。コンテンツの受信は、たとえば、複数を一括して受信することとしてもよく、サブスクリプションサービスサーバ５０１から受信する構成である。【０１３５】
ステップＳ１００３において、コンテンツを受信するのを待って、受信した場合（ステップＳ１００３：Ｙｅｓ）は、磁気ディスクドライブ８０４や光ディスクドライブ８０６などのドライブによって、磁気ディスク８０５や光ディスク８０７などの記録媒体にステップＳ１００３において受信したコンテンツを記録する（ステップＳ１００４）。【０１３６】
そして、ＣＰＵ８０１によって、磁気ディスクドライブ８０４や光ディスクドライブ８０６などのドライブを制御して、ステップＳ１００４において記録されたコンテンツの複製を生成する（ステップＳ１００５）。複製の生成は、たとえば、購入したコンテンツに対して所定回数許容されている構成でもよく、利用者５５０が入力デバイス８１０を操作することによって指示が入力されることとしてもよい。【０１３７】
そして、通信Ｉ／Ｆ８１３によって、ナビゲーション装置５０２に対して、ステップＳ１００５において生成されたコンテンツの複製を送信して（ステップＳ１００６）、一連の処理を終了する。複製の送信は、たとえば、ナビゲーション装置５０２や再生端末５０４など、利用者５５０が所有する端末で有効期間を気にすることなく視聴または聴取可能とするために送信する。【０１３８】
また、複製の送信は、たとえば、特定情報を生成し送信した端末に対して自動的に行ってもよい。このためには、受信した特定情報を送信した端末を特定する情報とコンテンツの購入要求及び購入したコンテンツとを紐づける仕組みを備えてもよい。【０１３９】
また、複製の送信は、利用者５５０が所有するすべての端末又はあらかじめ指定した端末に対して自動的に行ってもよく、複製数の制限がある場合は、利用者５５０が所有する複数の端末にたいして複製の送信を行う優先順位の設定ができるようにしてもよい。【０１４０】
以上説明したように、本実施例１にかかるナビゲーション装置によれば、サブスクリプションサービスサーバによって提供された有効期間において視聴または聴取可能なコンテンツを視聴または聴取してから購入したいコンテンツを選択することができるため、利用者は、無駄な買い物を防ぐことができる。【０１４１】
また、本実施例１にかかるナビゲーション装置によれば、有効期間において視聴または聴取可能なコンテンツを購入し、ＰＣに記録してから複製を受信することで、利用者は、気に入ったコンテンツ（購入したコンテンツ）を有効期間を気にすることなくコンテンツを視聴または聴取することができる。【０１４２】
また、本実施例１にかかるＰＣによれば、購入したいコンテンツを複数のコンテンツが記録可能な所定の記録媒体に記録するため、利用者は、購入したコンテンツの一元管理が可能となる。換言すれば、車両に搭載されたナビゲーション装置とは別のＰＣに購入したコンテンツを記録することで、利用者は、購入したコンテンツの再生や複製などの利便性を高めることができる。【０１４３】
さらに、通信環境が不安定な車両に搭載されたナビゲーション装置によって、購入したコンテンツを受信せずに、安定した通信環境にあるＰＣによって購入したコンテンツを受信するため、コンテンツに不具合を生じさせることなくコンテンツのデータを記録することができる。
【実施例２】
【０１４４】
つぎに、本発明の実施例２について説明する。本実施例２では、ナビゲーション装置５０２によって生成される特定情報を、サブスクリプションサービスサーバ５０１に送信した場合について説明する。なお、本実施例２にかかるサブスクリプションサービスサーバ５０１、ナビゲーション装置５０２、ＰＣ５０３のハードウェア構成については図６、図７、図８とそれぞれほぼ同様であるため説明を省略する。また、ナビゲーション装置５０２の処理の内容については、図９に示したステップＳ９０６における特定情報の送信先がＰＣ５０３の代わりにサブスクリプションサービスサーバ５０１となり、他のステップはほぼ同様となるため説明を省略する。【０１４５】
（システムの概要）
ここで、本実施例２にかかるコンテンツの購入の一例として楽曲を購入する楽曲購入システムの概要について説明する。楽曲購入システムの概要は、実施例１とほぼ同様であるため、図５に示した説明図を用いて、実施例１との相違点について説明する。【０１４６】
図５において、本実施例２にかかる楽曲購入システム５００は、サブスクリプションサービスサーバ５０１と、ナビゲーション装置５０２と、ＰＣ５０３と、再生端末５０４と、から構成されている。【０１４７】
楽曲購入システム５００のうち、ナビゲーション装置５０２は、サブスクリプションサービスサーバ５０１によって配信される楽曲の視聴をおこなうことができ、視聴している楽曲に対して、利用者５５０が購入を希望した場合に、その楽曲の購入をすることができる。【０１４８】
具体的には、たとえば、利用者５５０が購入したい楽曲を選択すると、ナビゲーション装置５０２は、その楽曲を特定するための特定情報を生成する。そして、ナビゲーション装置５０２は、生成した特定情報をサブスクリプションサービスサーバ５０１に送信することによって、サブスクリプションサービスサーバ５０１に特定情報を登録する。【０１４９】
この特定情報は、たとえば、実施例１に示した楽曲を特定するための情報にくわえて、利用者５５０を識別する識別情報を含む構成でもよい。【０１５０】
そして利用者５５０は、ナビゲーション装置５０２によって、購入したい楽曲をサブスクリプションサービスサーバ５０１に登録した場合、ＰＣ５０３によってサブスクリプションサービスサーバ５０１に接続して、購入したい楽曲を検索することにより、楽曲の購入要求をおこなう。【０１５１】
購入したい楽曲の検索は、たとえば、利用者５５０の識別情報を含む購入要求をサブスクリプションサービスサーバ５０１に送信することによっておこなってもよく、サブスクリプションサービスサーバ５０１は、利用者５５０から楽曲の対価の支払いがおこなわれると、ＰＣ５０３に楽曲を送信する構成である。【０１５２】
（ＰＣ５０３の処理の内容）
ここで、図１１を用いて、本実施例２にかかるＰＣ５０３の処理の内容について説明する。図１１は、本実施例２にかかるＰＣの処理の内容を示すフローチャートである。図１１のフローチャートにおいて、まず、ＰＣ５０３は、利用者５５０の購入したいコンテンツがあるか否かを判断する（ステップＳ１１０１）。【０１５３】
購入したいコンテンツの有無に関する判断は、たとえば、入力デバイス８１０によって利用者５５０が購入したいコンテンツの入力をおこなったか否かによって判断してもよい。すなわち、利用者５５０が入力デバイス８１０によって、コンテンツを購入するためにサブスクリプションサービスサーバ５０１にアクセスすることによって、購入したいコンテンツがあると判断してもよい。また、ナビゲーション装置５０２からサブスクリプションサービスサーバ５０１が特定情報を受信したら、購入したいコンテンツがあるとサブスクリプションサービスサーバ５０１からＰＣ５０３に通知する構成でもよい。また、ナビゲーション装置５０２から特定情報をサブスクリプションサービスサーバ５０１に登録したという情報をＰＣ５０３が受信したら、購入したいコンテンツがあると判断する構成でもよい。【０１５４】
ステップＳ１１０１において、購入したいコンテンツがあると判断されるのを待って、購入したいコンテンツがある場合（ステップＳ１１０１：Ｙｅｓ）は、通信Ｉ／Ｆ８１３によって、購入したいコンテンツをサブスクリプションサービスサーバ５０１から検索する（ステップＳ１１０２）。ＰＣ５０３にて検索した識別情報を閲覧し、改めて購入する楽曲を選択するステップを含めてもよい。このとき、検索した識別情報を用いて当該楽曲の試聴やサブスクリプションサービスの視聴ができる仕組みを備えてもよい。【０１５５】
購入したいコンテンツの検索は、具体的には、たとえば、利用者５５０の識別情報や他の利用者の識別情報、コンテンツを特定する情報、識別情報の登録端末、識別情報の登録日や登録地点などの情報をサブスクリプションサービスサーバ５０１に送信することによっておこなうこととしてもよい。このとき、サブスクリプションサービスサーバ５０１は該当する登録識別情報があるかどうかを検索し、結果をＰＣ５０３に通知してもよい。【０１５６】
このように、これらの情報を組み合わせて送信することにより、たとえば、自分や特定の友人の登録した情報の中から特定のアーティストについての識別情報を取得し、その中から購入検討を行うことが出来る。また買いたい曲が特定のドライブのときに登録した楽曲であるという記憶を頼りに購入したい楽曲を検索することも出来る。【０１５７】
そして、ＣＰＵ８０１によって、ステップＳ１１０１において判断された購入したいコンテンツの対価の支払いである課金処理が完了しているか否かを判断する（ステップＳ１１０３）。課金処理に関する判断は、たとえば、通信Ｉ／Ｆ８１３によって、サブスクリプションサービスサーバ５０１の有する課金サーバ機能に対して問い合わせてもよいし、利用者５５０による入力を受け付けてもよい。【０１５８】
また、図１１の説明では、課金処理が完了しているか否かをＰＣ５０３によって判断することとしているが、ＰＣ５０３によって判断する代わりに、サブスクリプションサービスサーバ５０１によって判断させてもよい。【０１５９】
ステップＳ１１０３において、課金処理が完了するのを待って、完了した場合（ステップＳ１１０３：Ｙｅｓ）は、ステップＳ１１０１において判断されたコンテンツの購入要求をおこなう（ステップＳ１１０４）。なお、図１１のフローチャートでは、ステップＳ１１０３およびステップＳ１１０４において、課金処理が完了するのを待ってから購入要求をおこなう構成としているが、逆の順序によって、購入要求をおこなってから課金処理が完了するのを待つ構成としてもよい。【０１６０】
コンテンツの購入要求は、たとえば、そのコンテンツを販売可能なサーバに対しておこなう。なお、本実施例２において販売可能なサーバは、サブスクリプションサービスサーバ５０１とする。【０１６１】
なお、図１１の説明では、ステップＳ１１０３において課金処理が完了するのを待つ構成としたが、課金処理が完了していない場合（ステップＳ１１０３：Ｎｏ）は、利用者５５０に対して課金を促す構成であってもよい。【０１６２】
つぎに、通信Ｉ／Ｆ８１３によって、ステップＳ１１０４において購入要求をおこなったコンテンツを受信したか否かを判断する（ステップＳ１１０５）。コンテンツの受信は、たとえば、複数を一括して受信することとしてもよく、サブスクリプションサービスサーバ５０１から受信する構成である。【０１６３】
ステップＳ１１０５において、コンテンツを受信するのを待って、受信した場合（ステップＳ１１０５：Ｙｅｓ）は、磁気ディスクドライブ８０４や光ディスクドライブ８０６などのドライブによって、磁気ディスク８０５や光ディスク８０７などの記録媒体にステップＳ１１０５において受信したコンテンツを記録する（ステップＳ１１０６）。【０１６４】
そして、ＣＰＵ８０１によって、磁気ディスクドライブ８０４や光ディスクドライブ８０６などのドライブを制御して、ステップＳ１１０６において記録されたコンテンツの複製を生成する（ステップＳ１１０７）。複製の生成は、たとえば、購入したコンテンツに対して所定回数許容されている構成でもよく、利用者５５０が入力デバイス８１０を操作することによって指示が入力されることとしてもよい。【０１６５】
そして、通信Ｉ／Ｆ８１３によって、ナビゲーション装置５０２に対して、ステップＳ１１０７において生成されたコンテンツの複製を送信して（ステップＳ１１０８）、一連の処理を終了する。複製の送信は、たとえば、ナビゲーション装置５０２や再生端末５０４など、利用者５５０が所有する端末で有効期間を気にすることなく視聴または聴取可能とするために送信する。【０１６６】
以上説明したように、本実施例２にかかるナビゲーション装置およびＰＣによれば、実施例１と同様の効果を奏することができ、ナビゲーション装置とＰＣとの間で通信がおこなえなくても、利用者がＰＣを操作することで、購入したいコンテンツを取得することができる。すなわち、コンテンツを購入する端末は、ナビゲーション装置と通信がおこなえなくてもよく、同一の利用者が所有する端末であれば購入できる。【０１６７】
なお、本実施の形態で説明したコンテンツ再生方法、コンテンツ記録方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008012901.tif 000003
【図２】
2008012901.tif 000004
【図３】
2008012901.tif 000005
【図４】
2008012901.tif 000006
【図５】
2008012901.tif 000007
【図６】
2008012901.tif 000008
【図７】
2008012901.tif 000009
【図８】
2008012901.tif 000010
【図９】
2008012901.tif 000011
【図１０】
2008012901.tif 000012
【図１１】
2008012901.tif 000013
【手続補正書】
【提出日】平成21年3月6日(2009.3.6)
【手続補正１】
【補正対象書類名】明細書
【補正対象項目名】全文
【補正方法】変更
【補正の内容】
【発明の詳細な説明】
【技術分野】
【０００１】
この発明は、コンテンツ購入システム、コンテンツ購入方法、コンテンツ購入プログラムおよびコンピュータに読み取り可能な記録媒体に関する。ただし、この発明の利用は、上述したコンテンツ購入システム、コンテンツ購入方法、コンテンツ購入プログラムおよびコンピュータに読み取り可能な記録媒体には限られない。
【背景技術】
【０００２】
近年では、任意の利用者が所定の契約料金を支払うことで、契約期間中に限り、利用者の再生端末などによって、所定の楽曲群の曲のダウンロードや聴取可能な再生をおこなうことができるサブスクリプションサービスなどと呼ばれるサービスが普及しつつある。このサブスクリプションサービスは、たとえば、利用者の再生端末に楽曲のデータが残らないストリーミング方式であってもよく、利用者は、低額の契約料金であっても比較的多くの楽曲を聴取することができる。
【０００３】
また、これまでに、所定の期間に限定した情報の利用について、利用者が特定のネットワーク・プロバイダに接続する契約を維持している期間に対応した期間に限定して、その利用者による所定のプログラムの実行を可能にする提案がされている（たとえば、下記特許文献１参照。）。
【０００４】
具体的に、下記特許文献１に記載の提案は、利用者の情報端末に配布するソフトウェアに対して、短期間で切れるライセンスキーを設定し、ネットワーク・プロバイダに接続することによってソフトウェアのライセンスを更新する構成としている。
【先行技術文献】
【特許文献】
【０００５】
【特許文献１】特開２００１−２６５５８４号公報
【発明の概要】
【発明が解決しようとする課題】
【０００６】
しかしながら、上述した技術では、利用者による楽曲の聴取が契約期間中に限られているため、利用者は、契約期間が経過すると楽曲の聴取ができなくなってしまうという問題が一例として挙げられる。特に、契約期間中であっても楽曲の複製ができないため、利用者は、楽曲を聴取するために再契約の負担がかかるという問題が一例として挙げられる。
【０００７】
一方、契約期間を考慮しないように楽曲を購入する場合、利用者は、契約期間中に限った聴取に比べて高額の費用を負担しなければならないという問題が一例として挙げられる。また、楽曲の限定的な部分に限った試聴を行って楽曲を選択し購入するという方法もあるが、それでもやはり限定的な部分に限った視聴であるため、利用者は、気に入らない楽曲を購入してしまう可能性があるという問題が一例として挙げられる。
【課題を解決するための手段】
【０００８】
上述した課題を解決し、目的を達成するため、請求項１の発明にかかるコンテンツ購入システムは、有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、販売可能なコンテンツを管理するコンテンツ販売サーバと接続され、当該コンテンツ販売サーバからコンテンツを取得して記録可能とするコンテンツ記録装置と、からなるコンテンツ購入システムであって、前記コンテンツ再生装置は、前記コンテンツ管理サーバから取得した期限付きコンテンツから、購入対象とする購入対象コンテンツの選択を受け付ける選択手段と、前記選択された購入対象コンテンツを購入するために用いる当該購入対象コンテンツを特定する特定情報を生成する生成手段と、前記生成された特定情報を、前記コンテンツ記録装置に転送する転送手段と、を備え、前記コンテンツ記録装置は、前記コンテンツ再生装置から取得した特定情報ならびに購入のための対価を支払ったことを示す課金情報と、を含む購入要求を前記コンテンツ販売サーバに送信する送信手段と、前記購入要求が送信された結果、前記コンテンツ販売サーバから前記購入対象コンテンツを受信する受信手段と、前記受信された購入対象コンテンツを記録する記録手段と、を備えたことを特徴とする。
【０００９】
また、請求項５の発明にかかるコンテンツ購入方法は、有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、販売可能なコンテンツを管理するコンテンツ販売サーバと接続され、当該コンテンツ販売サーバからコンテンツを取得して記録可能とするコンテンツ記録装置と、からなるコンテンツ購入システムが実行するコンテンツ購入方法であって、前記コンテンツ再生装置は、前記コンテンツ管理サーバから取得した期限付きコンテンツから、購入対象とする購入対象コンテンツの選択を受け付ける選択工程と、前記選択された購入対象コンテンツを購入するために用いる当該購入対象コンテンツを特定する特定情報を生成する生成工程と、前記生成された特定情報を、前記コンテンツ記録装置に転送する転送工程と、を含み、前記コンテンツ記録装置は、前記コンテンツ再生装置から取得した特定情報ならびに購入のための対価を支払ったことを示す課金情報と、を含む購入要求を前記コンテンツ販売サーバに送信する送信工程と、前記購入要求が送信された結果、前記コンテンツ販売サーバから前記購入対象コンテンツを受信する受信工程と、前記受信された購入対象コンテンツを記録する記録工程と、を含むことを特徴とする。
【００１０】
また、請求項６の発明にかかるコンテンツ再生プログラムは、請求項５に記載のコンテンツ購入方法をコンピュータに実行させることを特徴とする。
【００１１】
また、請求項７の発明にかかるコンピュータに読み取り可能な記録媒体は、請求項６に記載のコンテンツ購入プログラムを記録したことを特徴とする。
【図面の簡単な説明】
【００１２】
【図１】本実施の形態にかかるコンテンツ再生装置の機能的構成の一例を示すブロック図である。
【図２】本実施の形態にかかるコンテンツ記録装置の機能的構成の一例を示すブロック図である。
【図３】本実施の形態にかかるコンテンツ再生装置の処理の内容を示すフローチャートである。
【図４】本実施の形態にかかるコンテンツ記録装置の処理の内容を示すフローチャートである。
【図５】本実施例１にかかる楽曲購入システムの概要を示す説明図である。
【図６】本実施例１にかかるサブスクリプションサービスサーバのハードウェア構成の一例を示すブロック図である。
【図７】本実施例１にかかるナビゲーション装置のハードウェア構成の一例を示すブロック図である。
【図８】本実施例１にかかるＰＣのハードウェア構成の一例を示すブロック図である。
【図９】本実施例１にかかるナビゲーション装置の処理の内容を示すフローチャートである。
【図１０】本実施例１にかかるＰＣの処理の内容を示すフローチャートである。
【図１１】本実施例２にかかるＰＣの処理の内容を示すフローチャートである。
【発明を実施するための形態】
【００１３】
以下に添付図面を参照して、この発明にかかるコンテンツ購入システム、コンテンツ購入方法、コンテンツ購入プログラムおよびコンピュータに読み取り可能な記録媒体の好適な実施の形態を詳細に説明する。
【００１４】
（実施の形態）
（コンテンツ再生装置の機能的構成）
図１を用いて、本実施の形態にかかるコンテンツ再生装置の機能的構成について説明する。図１は、本実施の形態にかかるコンテンツ再生装置の機能的構成の一例を示すブロック図である。
【００１５】
図１において、所定のコンテンツを視聴または聴取可能に再生可能なコンテンツ再生装置１００は、選択部１０１と、生成部１０２と、出力部１０３と、から構成されている。なお、コンテンツ再生装置１００は、コンテンツを視聴または聴取可能に当該コンテンツを再生するように構成されている。すなわち、図１には明示していないが、コンテンツを再生出力する構成が備えられている。
【００１６】
コンテンツ再生装置１００は、たとえば、移動体に搭載され、サブスクリプションサービスを用いて、所定の有効期間において視聴または聴取可能なコンテンツ（以下、期限付きコンテンツとよぶ）を再生可能とすることとしてもよい。サブスクリプションサービスは、たとえば、利用者が所定の契約料金を支払うことで、契約期間中に限り、利用者の再生端末などによって、所定のコンテンツ群のコンテンツのダウンロードや再生をおこなうことができるサービスである。
【００１７】
なお、本明細書では、サブスクリプションサービスを利用して、所定のコンテンツ群のコンテンツをダウンロードあるいは再生することとして説明するが、コンテンツ群のコンテンツの代わりに映像データや楽曲などであってもよいし、その他各種情報データであってもよい。
【００１８】
選択部１０１は、期限付きコンテンツのうち、購入対象となる購入対象コンテンツの選択を受け付ける。期限付きコンテンツは、たとえば、前述したサブスクリプションサービスによって提供される所定の有効期間内に限って視聴または聴取可能となるコンテンツである。なお、ここでは所定の有効期間に限って視聴または聴取可能な構成としたが、ダウンロードが可能な期間や、視聴（あるいは聴取）が可能な回数、すなわち再生できる回数を制限する構成でもよい。
【００１９】
購入対象コンテンツは、たとえば、利用者が購入を所望するコンテンツなどで、前述した有効期間などの制限がないコンテンツをダウンロードすることとしてもよい。
【００２０】
生成部１０２は、選択部１０１によって選択された購入対象コンテンツを特定する特定情報を生成する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【００２１】
出力部１０３は、生成部１０２によって生成された特定情報を、複数のコンテンツを記録可能な機器に出力する。複数のコンテンツを記録可能な機器は、たとえば、コンテンツ再生装置１００を所有する利用者のパーソナルコンピュータなどであってもよく、所定の記録媒体によって複数のコンテンツを記録し管理する機器でもよい。また、複数のコンテンツを記録可能な機器は、複数のコンテンツを記録可能であれば、コンテンツ再生装置１００自体であってもよいし、図示しない所定の外部サーバなどであってもよい。なお、本明細書においては、この複数のコンテンツを記録可能な機器（以下、コンテンツ記録装置とよぶ）を主にコンテンツの購入ができる機器として位置付けている。
【００２２】
（コンテンツ記録装置の機能的構成）
つづいて、図２を用いて、本実施の形態にかかるコンテンツ記録装置の機能的構成について説明する。図２は、本実施の形態にかかるコンテンツ記録装置の機能的構成の一例を示すブロック図である。
【００２３】
図２において、コンテンツ記録装置２００は、要求部２０１と、受信部２０２と、記録部２０３と、取得部２０４と、から構成されている。
【００２４】
コンテンツ記録装置２００は、たとえば、家などに在り、コンテンツ購入サービスを利用して購入したコンテンツをダウンロードし、購入したコンテンツの保管、管理及び再生や複製を可能とすることとしてもよい。コンテンツ購入サービスは、たとえば、利用者が利用者の再生端末などによって、所定のコンテンツ群のコンテンツの中から購入するコンテンツを選択し所定の料金を支払うことで、選択したコンテンツをダウンロードして再生端末などに保管し、以後は期間の制限無く再生をおこなうことができるサービスである。また一般には購入したコンテンツは所定のルールの下に複製も許可される。
【００２５】
要求部２０１は、複数のコンテンツを管理するコンテンツ管理サーバに対して、購入対象となる購入対象コンテンツの購入要求をおこなう。コンテンツ管理サーバは、たとえば、サブスクリプションサービスを実施するサーバと同一のサーバであってもよいし、サブスクリプションサービスとは異なるサーバであってもよい。換言すれば、サブスクリプションサービスを実施するサーバは、たとえば、所定の有効期間において視聴または聴取可能とするためのコンテンツを管理し、コンテンツ管理サーバは、コンテンツ購入サービスを実施するサーバであって、購入対象となるコンテンツを管理する構成としてもよい。
【００２６】
また、たとえば、コンテンツ購入サービスにおける購入対象コンテンツと、サブスクリプションサービスにおける期限付きコンテンツは共通のコンテンツを用いていて、それらは共通のコンテンツ管理サーバで管理されており、再生端末からの利用アクセスがどちらのサービスのアクセスであるかに応じて権利サーバがコンテンツにその都度期限付きか購入かの権利の付与を行った上で再生端末にコンテンツを送信する構成としてもよい。
【００２７】
また、要求部２０１は、後述する取得部２０４によって取得された特定情報を用いて、コンテンツ管理サーバが管理する複数のコンテンツの中から、特定情報によって特定される購入対象コンテンツの購入要求をおこなうこととしてもよい。
【００２８】
受信部２０２は、要求部２０１によって購入要求がされた結果、コンテンツ管理サーバから購入対象コンテンツを受信する。具体的には、たとえば、受信部２０２は、要求部２０１によって購入要求がされた結果、購入対象コンテンツの対価が支払われた場合に、購入対象コンテンツの対価の支払いに関する課金情報を管理するコンテンツ管理サーバから購入対象コンテンツを受信することとしてもよい。
【００２９】
すなわち、コンテンツ管理サーバは、購入要求があった購入対象コンテンツについて、対価の支払いがあった場合に受信部２０２に対して購入対象コンテンツを送信し、対価の支払いがない場合は、対価の要求をおこなう構成としてもよい。
【００３０】
記録部２０３は、受信部２０２によって受信された購入対象コンテンツを図示しない記録媒体に記録する。購入対象コンテンツの記録は、たとえば、複数記録する構成でもよく、これにより利用者は、購入対象コンテンツの一元管理が可能となる。
【００３１】
取得部２０４は、購入対象コンテンツを特定する特定情報を取得する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【００３２】
また、特定情報の取得は、たとえば、外部の機器から受信することとしてもよいし、利用者からの入力を受け付けることとしてもよい。
【００３３】
（コンテンツ再生装置の処理の内容）
つぎに、図３を用いて、本実施の形態にかかるコンテンツ再生装置１００の処理の内容について説明する。図３は、本実施の形態にかかるコンテンツ再生装置の処理の内容を示すフローチャートである。図３のフローチャートにおいて、まず、選択部１０１によって、購入対象コンテンツの選択を受け付けたか否かを判断する（ステップＳ３０１）。購入対象コンテンツの選択は、たとえば、利用者が図示しない操作部を操作することによっておこなわれる構成でもよい。
【００３４】
ステップＳ３０１において、購入対象コンテンツの選択を受け付けるのを待って、受け付けた場合（ステップＳ３０１：Ｙｅｓ）は、生成部１０２によって、ステップＳ３０１において選択された購入対象コンテンツを特定する特定情報を生成する（ステップＳ３０２）。生成した特定情報は、複数のコンテンツを記録可能な機器に対して出力するまで、コンテンツ再生装置１００内に保管し、利用者は一覧表示等で特定情報を生成した購入対象コンテンツの参照が出来、またコンテンツを記録可能な機器に対して出力する特定情報を後から選択できるようにしてもよい。
【００３５】
そして、出力部１０３によって、複数のコンテンツを記録可能な機器に対して、ステップＳ３０２において生成された特定情報を出力して（ステップＳ３０３）、一連の処理を終了する。
【００３６】
（コンテンツ記録装置の処理の内容）
つづいて、図４を用いて、本実施の形態にかかるコンテンツ記録装置２００の処理の内容について説明する。図４は、本実施の形態にかかるコンテンツ記録装置の処理の内容を示すフローチャートである。図４のフローチャートにおいて、まず、要求部２０１によって、複数のコンテンツを管理するコンテンツ管理サーバに対して、コンテンツ再生装置１００からの特定情報に基づき購入対象となる購入対象コンテンツの購入要求をおこなう（ステップＳ４０１）。
【００３７】
つぎに、受信部２０２によって、ステップＳ４０１において購入要求がされた結果、コンテンツ管理サーバから購入対象コンテンツを受信する（ステップＳ４０２）。
【００３８】
そして、記録部２０３によって、ステップＳ４０２において受信された購入対象コンテンツを記録して（ステップＳ４０３）、一連の処理を終了する。購入対象コンテンツの記録は、たとえば、所定の記録媒体に複数記録する構成でもよい。
【００３９】
以上説明したように、本実施の形態にかかるコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体によれば、所定の有効期間において視聴または聴取可能な期限付きコンテンツから購入対象コンテンツを選択できるため、利用者は、コンテンツの内容を十分確認した上で購入することができる。
【００４０】
また、サブスクリプションサービスによって提供された期限付きコンテンツを購入すると、複数のコンテンツが記録可能な所定の記録媒体へ記録することとなるため、利用者は、購入したコンテンツの一元管理が可能となる。すなわち、移動体に搭載されたコンテンツ再生装置とは別のコンテンツ記録装置に購入対象コンテンツを記録することで、利用者は、購入したコンテンツの再生や複製などの利便性を高めることができる。
【００４１】
また、移動体に搭載されたコンテンツ再生装置によって購入対象コンテンツの受信をおこなわずに、購入対象コンテンツの受信をコンテンツ記録装置でおこなう構成となっている。したがって、通信環境が不安定になることなく購入対象コンテンツの取得ができる。
【実施例１】
【００４２】
以下に、本発明の実施例１について説明する。本実施例１では、たとえば、車両（四輪車、二輪車を含む）などの移動体に搭載されるナビゲーション装置によって、本発明のコンテンツ再生装置を実施し、ナビゲーション装置とは異なる場所に設置されたＰＣ（パーソナルコンピュータ）によって、本発明のコンテンツ記録装置を実施した場合の一例について説明する。
【００４３】
（システムの概要）
まず、図５を用いて、本実施例１にかかるコンテンツの購入の一例として楽曲を購入する楽曲購入システムの概要について説明する。図５は、本実施例１にかかる楽曲購入システムの概要を示す説明図である。
【００４４】
図５において、楽曲購入システム５００は、サブスクリプションサービスサーバ５０１と、ナビゲーション装置５０２と、ＰＣ５０３と、再生端末５０４と、から構成されている。サブスクリプションサービスサーバ５０１と、ナビゲーション装置５０２と、ＰＣ５０３とは、それぞれインターネット５１０を介して接続されており、ナビゲーション装置５０２と、ＰＣ５０３と、再生端末５０４は、それぞれ同一の利用者５５０が所有していることとする。
【００４５】
なお、図５の説明では、ナビゲーション装置５０２と、ＰＣ５０３と、再生端末５０４は、同一の利用者５５０が所有することとしたが、それぞれ異なっていてもよく、その場合、それぞれが友人や家族など利用者５５０によって把握可能な所有としてもよい。
【００４６】
サブスクリプションサービスサーバ５０１は、利用者５５０との間における、所定の楽曲の配信に関する契約に基づいて、利用者５５０の所有するナビゲーション装置５０２やＰＣ５０３へ楽曲を配信する。楽曲の配信は、ナビゲーション装置５０２やＰＣ５０３に限ることなく、利用者５５０との間の契約に応じて登録される端末に対しておこなうこととしてもよい。
【００４７】
具体的には、たとえば、サブスクリプションサービスサーバ５０１によって、利用者５５０は、登録されたナビゲーション装置５０２やＰＣ５０３などの所定の端末を通じて、契約した期間に応じて、サブスクリプションサービスサーバ５０１が用意する楽曲群の楽曲から、好きな楽曲を好きなだけダウンロードあるいは再生して、聴取することができる。
【００４８】
より具体的には、たとえば、サブスクリプションサービスサーバ５０１は、楽曲データを保管管理するコンテンツサーバや、利用者５５０の端末認証と、楽曲の有効期間を設定管理する認証サーバや、利用者５５０との間における契約情報と課金情報を管理する課金サーバなどからなるサーバ群から構成されていてもよい。サーバ群は、たとえば、３つでなくてもよく、コンテンツサーバ、認証サーバ、課金サーバのうちいずれか一つ以上の機能を有するサーバからなり、すべての機能を実現できる構成であればよい。
【００４９】
ここで、サブスクリプションサービスサーバ５０１による楽曲の配信の概要について説明する。サブスクリプションサービスサーバ５０１は、利用者５５０との間の契約に応じて登録されたナビゲーション装置５０２やＰＣ５０３などの所定の端末から、楽曲のダウンロードの要求を受け付けると、認証サーバの機能によって、有効な契約がされた利用者５５０であるか否か認証をおこなう。
【００５０】
さらに、サブスクリプションサービスサーバ５０１は、課金サーバの機能によって管理された利用者５５０の契約情報に応じて、コンテンツサーバの機能によって保管管理された楽曲群から配信する楽曲を設定する。具体的には、たとえば、配信する楽曲は、ナビゲーション装置５０２やＰＣ５０３などから要求された楽曲について、契約情報や課金情報に応じた有効期間を設定して配信することとなる。また、有効期間の代わり、あるいは加えて、許可する再生回数を設定して配信してもよい。
【００５１】
ここで、有効期間は、たとえば、利用者５５０の支払い状況に応じて更新されることとしてもよく、配信の終了日のみならず、開始日と終了日をあわせた情報であってもよい。また、配信の期日の代わりに、再生可能な期日を設定してもよく、利用の可否に関する情報でもよい。
【００５２】
なお、本実施例１では、配信する楽曲に対して、サブスクリプションサービスサーバ５０１によって有効期間を設定する構成としているが、それぞれの端末によって設定できる構成としてもよい。具体的には、たとえば、端末が契約情報や課金情報を取得して、契約情報や課金情報に応じて楽曲の再生をおこなうこととしてもよい。
【００５３】
ナビゲーション装置５０２は、車両など移動体に搭載されており、車両の経路誘導などをおこなう他に、記録媒体に記録されたコンテンツや、通信機能によって取得されたコンテンツの再生をおこなう。
【００５４】
具体的には、たとえば、サブスクリプションサービスサーバ５０１によって配信される楽曲の聴取をおこなうことができる。楽曲の配信は通信機能を利用して行ってもよいし、記録媒体に記録し郵送等で配布してもよい。また配信される楽曲は、たとえば、聴取可能な有効期間が設定されており、ストリーミング方式やダウンロード方式でもよいが、本実施例１では、ダウンロード方式について説明する。
【００５５】
より具体的には、たとえば、ナビゲーション装置５０２は、所定の楽曲の配信に関する契約をおこなった利用者５５０が所有しており、図示しない表示部や音声出力部などによって利用可能な楽曲のリストや情報を参照する機能を有している。そして、図示しない操作部などによって、利用者５５０から聴取したい楽曲の選択を受け付けて、楽曲のダウンロードと、ダウンロード済みの楽曲の再生をおこなうことができる。ダウンロード中に同時再生ができてもよい。
【００５６】
再生する楽曲は、たとえば、サブスクリプションサービスサーバ５０１から１曲あるいは複数曲ダウンロードすることとしてもよい。ダウンロードされた楽曲は、契約に応じた有効期間に限って聴取可能な曲でもよい。
【００５７】
ここで、本実施例１では、所定の有効期間に限って聴取している楽曲について、利用者５５０が購入を希望した場合に、その楽曲の購入をすることができる。具体的には、たとえば、利用者５５０が購入したい楽曲を選択すると、ナビゲーション装置５０２は、その楽曲を特定するための特定情報を生成して、登録する。そして、ナビゲーション装置５０２は、登録した特定情報を後述するＰＣ５０３へ転送して、ＰＣ５０３によって購入したい楽曲に対する対価の支払いがおこなわれることを条件に、楽曲の購入ができる。
【００５８】
ＰＣ５０３は、ナビゲーション装置５０２から転送された特定情報によって特定される楽曲を、その楽曲を販売可能なサーバから購入する。販売可能なサーバは、たとえば、前述したサブスクリプションサービスサーバ５０１とは異なるサーバであっても、サブスクリプションサービスサーバ５０１と同一のサーバであってもよい。
【００５９】
具体的には、たとえば、楽曲の購入は、利用者５５０が購入したい楽曲の対価を支払った旨を示す課金情報および購入したい楽曲を特定する特定情報を含む購入要求を販売可能なサーバが取得すると、購入した楽曲をＰＣ５０３に送信する構成である。
【００６０】
そして、ＰＣ５０３によって、購入した楽曲の複製をナビゲーション装置５０２や、再生端末５０４へ転送することで、利用者５５０は、ナビゲーション装置５０２や、再生端末５０４によって、購入した楽曲を有効期間を気にすることなく聴取することができる。
【００６１】
なお、購入した楽曲の複製は、複製許容回数が設定されていてもよく、たとえば、複製許容回数は、ＰＣ５０３に記録された楽曲について３回（３端末分）の複製に制限されていることとしてもよい。
【００６２】
楽曲が販売可能なサーバは、サブスクリプションサービスサーバ５０１と同一であっても異なっていてもよいが、サブスクリプションサービスによって一時的に聴取している楽曲を購入することを前提とする構成でもよい。具体的には、たとえば、利用者５５０は、サブスクリプションサービスの契約によって所定の利用料金を支払っている場合、購入する楽曲に所定の割引を適用することとしてもよい。
【００６３】
この場合、特定情報にサブスクリプションサービスに関する契約情報などを含めることとすればよい。そして、販売可能なサーバは、特定情報に含まれる契約情報を参照して、楽曲の料金の割引をおこなうこととしてもよい。
【００６４】
契約情報は、たとえば、楽曲が販売可能なサーバがサブスクリプションサービスサーバ５０１と異なる場合は、販売可能なサーバがサブスクリプションサービスサーバ５０１に問い合わせることとしてもよい。また、楽曲が販売可能なサーバは、たとえば、認証サーバや課金サーバの機能をサブスクリプションサービスサーバ５０１と共有する構成としてもよい。
【００６５】
さらに、販売可能なサーバは、特定情報とともに、特定情報を取得した日時や利用者５５０の登録端末の情報を取得する構成とすれば、特定情報を取得した日時が、サブスクリプションサービスの契約期間中であることを確認した上で、現在サブスクリプションサービスの契約期間外であっても、契約期間中の特定情報を取得していれば購入可能としてもよい。
【００６６】
特定情報は、たとえば、サブスクリプションサービスサーバ５０１から配信される楽曲に応じて生成されるが、サブスクリプションサービスサーバ５０１と楽曲の販売可能なサーバが異なる場合、販売可能なサーバであってもその特定情報によって楽曲が特定できるようにする必要がある。すなわち、サブスクリプションサービスサーバ５０１および販売可能なサーバで楽曲を特定する際の特定情報のデータの共通化あるいは両サーバの楽曲リストを関連づけて相互に読替可能とすればよい。
【００６７】
また、特定情報は、たとえば、販売可能なサーバによって楽曲を特定できる情報であればよいが、サブスクリプションサービスの利用に応じて所定曲数の購入できる情報を付加してもよいし、利用者５５０によるサブスクリプションサービスの利用状況や利用ポイントに関する情報を付加してもよい。このようにして、サブスクリプションサービスと購入を密接に関連づければ、利用者５５０は、楽曲の聴取を利用して購入意欲が惹起され、サブスクリプションサービスの利用拡大および楽曲の販売促進を図ることができる。
【００６８】
（サブスクリプションサービスサーバ５０１のハードウェア構成）
ここで、図６を用いて、本実施例１にかかるサブスクリプションサービスサーバ５０１のハードウェア構成について説明する。図６は、本実施例１にかかるサブスクリプションサービスサーバのハードウェア構成の一例を示すブロック図である。なお、以降の本実施例１では、サブスクリプションサービスサーバ５０１と楽曲の販売可能なサーバを同一のサーバとして説明する。
【００６９】
図６において、サブスクリプションサービスサーバ５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、スピーカ６０９と、入力デバイス６１０と、映像Ｉ／Ｆ６１１と、ディスプレイ６１２と、通信Ｉ／Ｆ６１３と、を備えている。また、各構成部６０１〜６１３はバス６２０によってそれぞれ接続されている。
【００７０】
まず、ＣＰＵ６０１は、サブスクリプションサービスサーバ５０１の全体の制御を司る。ＲＯＭ６０２は、ブートプログラム、通信プログラム、データ管理プログラムなどの各種プログラムを記録している。また、ＲＡＭ６０３は、ＣＰＵ６０１のワークエリアとして使用される。
【００７１】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。
【００７２】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱可能な記録媒体として、光ディスク６０７のほか、ＭＯ、メモリカードなどであってもよい。
【００７３】
音声Ｉ／Ｆ６０８は、音声出力用のスピーカ６０９に接続され、スピーカ６０９からは音声が出力される。
【００７４】
入力デバイス６１０は、文字、数値、各種指示などの入力のための複数のキーを備えたリモコン、キーボード、マウス、タッチパネルなどが挙げられる。
【００７５】
映像Ｉ／Ｆ６１１は、ディスプレイ６１２と接続される。映像Ｉ／Ｆ６１１は、具体的には、たとえば、ディスプレイ６１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ６１２を表示制御する制御ＩＣなどによって構成される。
【００７６】
ディスプレイ６１２には、アイコン、カーソル、メニュー、ウインドウ、あるいは文字や画像などの各種データが表示される。このディスプレイ６１２は、たとえば、ＣＲＴ、ＴＦＴ液晶ディスプレイ、プラズマディスプレイなどを採用することができる。
【００７７】
通信Ｉ／Ｆ６１３は、無線を介してネットワークに接続され、サブスクリプションサービスサーバ５０１とＣＰＵ６０１とのインターフェースとして機能する。通信Ｉ／Ｆ６１３は、さらに、無線を介してインターネット５１０などの通信網に接続され、この通信網とＣＰＵ６０１とのインターフェースとしても機能する。
【００７８】
通信網には、ＬＡＮ、ＷＡＮ、公衆回線網や携帯電話網などがある。具体的には、通信Ｉ／Ｆ６１３は、たとえば、ＦＭチューナーなどによって構成される。
【００７９】
なお、詳細は図９〜図１１を用いて説明するが、サブスクリプションサービスサーバ５０１は、図７および図８に示すナビゲーション装置５０２およびＰＣ５０３と通信をおこなってコンテンツを提供する構成である。ここで、コンテンツは、たとえば、図５に示した楽曲などでもよい。
【００８０】
（ナビゲーション装置５０２のハードウェア構成）
つづいて、図７を用いて、本実施例１にかかるナビゲーション装置５０２のハードウェア構成について説明する。図７は、本実施例１にかかるナビゲーション装置のハードウェア構成の一例を示すブロック図である。
【００８１】
図７において、ナビゲーション装置５０２は、車両などの移動体に搭載されており、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、スピーカ７０９と、入力デバイス７１０と、映像Ｉ／Ｆ７１１と、ディスプレイ７１２と、通信Ｉ／Ｆ７１３と、ＧＰＳユニット７１４と、各種センサ７１５と、を備えている。また、各構成部７０１〜７１５はバス７２０によってそれぞれ接続されている。
【００８２】
まず、ＣＰＵ７０１は、ナビゲーション装置５０２の全体の制御を司る。ＲＯＭ７０２は、ブートプログラム、経路探索プログラム、経路誘導プログラム、通信プログラム、コンテンツ再生プログラムなどの各種プログラムを記録している。また、ＲＡＭ７０３は、ＣＰＵ７０１のワークエリアとして使用される。
【００８３】
詳細は図９を用いて説明するが、コンテンツ再生プログラム、通信プログラムは、サブスクリプションサービスサーバ５０１から提供されるコンテンツを再生させる。また、購入したコンテンツの複製の受信および再生をさせることとしてもよい。
【００８４】
経路探索プログラムは、後述する磁気ディスク７０５や光ディスク７０７に記録されている地図情報などを利用して、出発地点から目的地点までの最適な経路を探索させる。ここで、最適な経路とは、目的地点までの最短（あるいは最速）経路や利用者が指定した条件に最も合致する経路などである。
【００８５】
経路誘導プログラムは、経路探索プログラムを実行することによって探索された誘導経路情報、現在地点算出プログラムを実行することによって算出された車両の現在地点情報、後述する磁気ディスク７０５や光ディスク７０７から読み出された地図情報に基づいて、リアルタイムな経路誘導情報の生成をおこなわせる。経路誘導プログラムを実行することによって生成された経路誘導情報は、ＣＰＵ７０１を介して音声Ｉ／Ｆ７０８や映像Ｉ／Ｆ７１１へ出力される。
【００８６】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、たとえば、ＨＤ（ハードディスク）やＦＤ（フレキシブルディスク）を用いることができる。
【００８７】
光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータの読み出される着脱自在な記録媒体である。光ディスク７０７は、書き込み可能な記録媒体を利用することもできる。また、この着脱可能な記録媒体として、光ディスク７０７のほか、ＭＯ、メモリカードなどであってもよい。
【００８８】
音声Ｉ／Ｆ７０８は、音声出力用のスピーカ７０９に接続され、スピーカ７０９からは音声が出力される。
【００８９】
入力デバイス７１０は、文字、数値、各種指示などの入力のための複数のキーを備えたリモコン、キーボード、マウス、タッチパネルなどが挙げられる。
【００９０】
映像Ｉ／Ｆ７１１は、ディスプレイ７１２と接続される。映像Ｉ／Ｆ７１１は、具体的には、たとえば、ディスプレイ７１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１２を表示制御する制御ＩＣなどによって構成される。
【００９１】
ディスプレイ７１２には、アイコン、カーソル、メニュー、ウインドウ、あるいは文字や画像などの各種データが表示される。このディスプレイ７１２は、たとえば、ＣＲＴ、ＴＦＴ液晶ディスプレイ、プラズマディスプレイなどを採用することができる。
【００９２】
通信Ｉ／Ｆ７１３は、無線を介してネットワークに接続され、ナビゲーション装置５０２とＣＰＵ７０１とのインターフェースとして機能する。通信Ｉ／Ｆ７１３は、さらに、無線を介してインターネット５１０などの通信網に接続され、この通信網とＣＰＵ７０１とのインターフェースとしても機能する。
【００９３】
通信網には、ＬＡＮ、ＷＡＮ、公衆回線網や携帯電話網などがある。具体的には、通信Ｉ／Ｆ７１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ７１３は、たとえば、図示しないサーバなどからスケジュール情報やプロフィール情報を取得する構成でもよい。
【００９４】
ＧＰＳユニット７１４は、ＧＰＳ衛星からの電波を受信し、車両の現在地点を示す情報を出力する。ＧＰＳユニット７１４の出力情報は、後述する各種センサ７１５の出力値とともに、ＣＰＵ７０１による車両の現在地点の算出に際して利用される。現在地点を示す情報は、たとえば緯度・経度、高度などの、地図情報上の１点を特定する情報である。
【００９５】
各種センサ７１５は、車速センサや加速度センサ、角速度センサなどを含み、車両の位置や挙動を判断することが可能な情報を出力する。各種センサ７１５の出力値は、ＣＰＵ７０１による車両の現在地点の算出や、速度や方位の変化量の測定などに用いられる。
【００９６】
なお、実施の形態にかかるコンテンツ再生装置１００の機能的構成のうち、選択部１０１は入力デバイス７１０や通信Ｉ／Ｆ７１３によって、生成部１０２は磁気ディスク７０５や光ディスク７０７などの記録媒体に記録された各種プログラムをＣＰＵ７０１が実行することによって、出力部１０３は通信Ｉ／Ｆ７１３によって、それぞれその機能を実現する。
【００９７】
（ＰＣ５０３のハードウェア構成）
つづいて、図８を用いて、本実施例１にかかるＰＣ５０３のハードウェア構成について説明する。図８は、本実施例１にかかるＰＣのハードウェア構成の一例を示すブロック図である。
【００９８】
図８において、ＰＣ５０３は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、スピーカ８０９と、入力デバイス８１０と、映像Ｉ／Ｆ８１１と、ディスプレイ８１２と、通信Ｉ／Ｆ８１３と、を備えている。また、各構成部８０１〜８１３はバス８２０によってそれぞれ接続されている。
【００９９】
まず、ＣＰＵ８０１は、ＰＣ５０３の全体の制御を司る。ＲＯＭ８０２は、ブートプログラム、通信プログラム、コンテンツ記録プログラムなどの各種プログラムを記録している。また、ＲＡＭ８０３は、ＣＰＵ８０１のワークエリアとして使用される。
【０１００】
詳細は図１０および図１１を用いて説明するが、通信プログラム、コンテンツ記録プログラムは、サブスクリプションサービスサーバ５０１やナビゲーション装置５０２などと通信をさせて、コンテンツの購入および記録・管理をさせる。また、購入したコンテンツの複製を生成してナビゲーション装置５０２や再生端末５０４へ転送させてもよい。
【０１０１】
磁気ディスクドライブ８０４は、ＣＰＵ８０１の制御にしたがって磁気ディスク８０５に対するデータの読み取り／書き込みを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。
【０１０２】
光ディスクドライブ８０６は、ＣＰＵ８０１の制御にしたがって光ディスク８０７に対するデータの読み取り／書き込みを制御する。光ディスク８０７は、光ディスクドライブ８０６の制御にしたがってデータの読み出される着脱自在な記録媒体である。光ディスク８０７は、書き込み可能な記録媒体を利用することもできる。また、この着脱可能な記録媒体として、光ディスク８０７のほか、ＭＯ、メモリカードなどであってもよい。
【０１０３】
音声Ｉ／Ｆ８０８は、音声出力用のスピーカ８０９に接続され、スピーカ８０９からは音声が出力される。
【０１０４】
入力デバイス８１０は、文字、数値、各種指示などの入力のための複数のキーを備えたリモコン、キーボード、マウス、タッチパネルなどが挙げられる。
【０１０５】
映像Ｉ／Ｆ８１１は、ディスプレイ８１２と接続される。映像Ｉ／Ｆ８１１は、具体的には、たとえば、ディスプレイ８１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１２を表示制御する制御ＩＣなどによって構成される。
【０１０６】
ディスプレイ８１２には、アイコン、カーソル、メニュー、ウインドウ、あるいは文字や画像などの各種データが表示される。このディスプレイ８１２は、たとえば、ＣＲＴ、ＴＦＴ液晶ディスプレイ、プラズマディスプレイなどを採用することができる。
【０１０７】
通信Ｉ／Ｆ８１３は、無線を介してネットワークに接続され、ＰＣ５０３とＣＰＵ８０１とのインターフェースとして機能する。通信Ｉ／Ｆ８１３は、さらに、無線を介してインターネット５１０などの通信網に接続され、この通信網とＣＰＵ８０１とのインターフェースとしても機能する。
【０１０８】
通信網には、ＬＡＮ、ＷＡＮ、公衆回線網や携帯電話網などがある。具体的には、通信Ｉ／Ｆ８１３は、たとえば、ＦＭチューナーなどによって構成される。
【０１０９】
なお、実施の形態にかかるコンテンツ記録装置２００の機能的構成のうち、要求部２０１や受信部２０２や取得部２０４は通信Ｉ／Ｆ８１３によって、記録部２０３は磁気ディスクドライブ８０４や光ディスクドライブ８０６によって、それぞれその機能を実現する。
【０１１０】
（ナビゲーション装置５０２の処理の内容）
つぎに、図９を用いて、本実施例１にかかるナビゲーション装置５０２の処理の内容について説明する。図９は、本実施例１にかかるナビゲーション装置の処理の内容を示すフローチャートである。図９のフローチャートにおいて、まず、ナビゲーション装置５０２は、利用者５５０によって、サブスクリプションサービスの契約を実施したか否かを判断する（ステップＳ９０１）。
【０１１１】
サブスクリプションサービスは、たとえば、サブスクリプションサービスサーバ５０１を用いて、利用者５５０との間における、所定のコンテンツ（たとえば、図５に示した楽曲など）の配信に関する契約に基づいて、利用者５５０の所有する端末へコンテンツを配信する。サブスクリプションサービスサーバ５０１によるコンテンツの配信は、ナビゲーション装置５０２やＰＣ５０３に限ることなく、利用者５５０との間の契約に応じて登録される端末に対しておこなうこととしてもよい。
【０１１２】
サブスクリプションサービスを契約したか否かの判断は、たとえば、ＣＰＵ７０１によって、利用者５５０がサブスクリプションサービスサーバ５０１を管理する事業者と契約をした時点で、磁気ディスク７０５や光ディスク７０７などの記録媒体に記録される契約情報を参照しておこなってもよい。
【０１１３】
ステップＳ９０１において、サブスクリプションサービスの契約を実施するのを待って、実施した場合（ステップＳ９０１：Ｙｅｓ）は、通信Ｉ／Ｆ７１３によって、サブスクリプションサービスサーバ５０１から期限付きコンテンツをダウンロードして（ステップＳ９０２）、磁気ディスク７０５や光ディスク７０７などの記録媒体に記録する。
【０１１４】
期限付きコンテンツは、たとえば、サブスクリプションサービスサーバ５０１によって設定された有効期間に限って視聴または聴取可能とするコンテンツであり、サブスクリプションサービスの契約に応じて変更可能な期間でもよい。
【０１１５】
また、図９の説明では、期限付きコンテンツを視聴または聴取する際に、ダウンロードして磁気ディスク７０５や光ディスク７０７などの記録媒体に記録する構成としたが、期限付きコンテンツをストリーミング方式を用いて視聴または聴取する構成でもよい。
【０１１６】
つぎに、入力デバイス７１０によって、ステップＳ９０２においてダウンロードされた期限付きコンテンツの中から利用者５５０が購入したいコンテンツが選択されたか否かを判断する（ステップＳ９０３）。購入したいコンテンツの選択は、たとえば、複数の期限付きコンテンツを一括に選択してもよく、ステップＳ９０２においてダウンロードした期限付きコンテンツのリストから選択する構成でもよい。また、購入したいコンテンツの選択は、たとえば、期限付きコンテンツを視聴または聴取した後に選択可能としてもよく、このようにすれば、利用者５５０は、購入したいコンテンツを視聴または聴取してから慎重に選択することができる。
【０１１７】
ステップＳ９０３において、購入したいコンテンツが選択された場合（ステップＳ９０３：Ｙｅｓ）は、ＣＰＵ７０１によって、ステップＳ９０３において選択されたコンテンツを特定する特定情報を生成する（ステップＳ９０５）。特定情報は、たとえば、コンテンツのタイトル名称や著作者名などのメタデータ、著作権ナンバーなどのコンテンツＩＤ、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【０１１８】
また、ステップＳ９０３において、購入したいコンテンツの選択は、その時点で購入すると決定していなくとも視聴または聴取していて気に入った楽曲が再生されたときにスイッチを押すなどの操作によりその楽曲を選択し、それに基づきステップＳ９０５により特定情報を生成保存しておいて、後で保存した特定情報の中から購入する楽曲を選択することにしてもよい。このとき、ステップＳ９０３において楽曲を選択したときに生成する特定情報は簡易なものとし、後で購入する楽曲を選択したときに、選択した楽曲について改めて購入要求の目的に合致した情報を含む特定情報を改めて生成してもよい。
【０１１９】
つぎに、通信Ｉ／Ｆ７１３によって、ＰＣ５０３に対してステップＳ９０５において生成された特定情報を送信する（ステップＳ９０６）。また、生成した特定情報の内、利用者５５０が購入すると決定した楽曲の特定情報のみを選択して送信することとしてもよい。なお、ＰＣ５０３による、特定情報の受信およびコンテンツの購入に関する処理については、図１０に後述する。
【０１２０】
そして、ステップＳ９０６において特定情報を送信した結果、通信Ｉ／Ｆ７１３によって、ＰＣ５０３から転送されるコンテンツの複製を受信して（ステップＳ９０７）、一連の処理を終了する。コンテンツの複製は、たとえば、ＰＣ５０３によって、購入されたコンテンツを複製し、複製したコンテンツを受信することで、ナビゲーション装置５０２では、有効期間を気にすることなく視聴または聴取できるコンテンツを取得することができる。
【０１２１】
ここで、ステップＳ９０６における特定情報の送信は、ＰＣ５０３に対しておこなう構成としたが、その他、利用者５５０が所有あるいは管理している、コンテンツを記録する所定の記録媒体を具備する機器であればよい。また、利用者５５０が所有あるいは管理しているどの機器からコンテンツを購入するかその時点で決まっていなければ可能性のある複数の機器に特定情報を送信してもよい。さらに、ナビゲーション装置５０２の記録媒体に記録することとしてもよく、その場合、特定情報に基づいてサブスクリプションサービスサーバ５０１に対して購入要求をおこなうことにより、購入したいコンテンツを取得する。なお、購入要求については、図１０に後述する。
【０１２２】
ここで、ステップＳ９０３に戻って、購入したいコンテンツが選択されない場合（ステップＳ９０３：Ｎｏ）は、ＣＰＵ７０１によって、ステップＳ９０１において実施した契約期間が継続中か否かを判断する（ステップＳ９０４）。
【０１２３】
契約期間が継続中か否かの判断は、たとえば、契約情報と現在の日時を比較しておこなってもよいし、サブスクリプションサービスの利用の可否情報を取得しておこなってもよい。
【０１２４】
ステップＳ９０４において、契約期間が継続中の場合（ステップＳ９０４：Ｙｅｓ）は、ステップＳ９０２に戻って処理を繰り返す。なお、図９の説明ではステップＳ９０２に戻って処理を繰り返す構成としたが、既にダウンロード済のコンテンツの視聴または聴取を継続することとしてもよい。
【０１２５】
また、ステップＳ９０４において、契約期間が継続中でない場合（ステップＳ９０４：Ｎｏ）は、ステップＳ９０１に戻って処理を繰り返す。すなわち、利用者５５０は、契約期間が経過したら、再契約をすることによってサブスクリプションサービスの提供を受けることができ、ステップＳ９０４において、契約期間が継続中でない場合（ステップＳ９０４：Ｎｏ）は、再契約を促すステップを設けてもよい。
【０１２６】
（ＰＣ５０３の処理の内容）
つづいて、図１０を用いて、本実施例１にかかるＰＣ５０３の処理の内容について説明する。図１０は、本実施例１にかかるＰＣの処理の内容を示すフローチャートである。図１０のフローチャートにおいて、まず、通信Ｉ／Ｆ８１３によって、ナビゲーション装置５０２から特定情報を受信したか否かを判断する（ステップＳ１００１）。特定情報は、たとえば、利用者５５０が購入したいコンテンツを特定する情報である。
【０１２７】
ステップＳ１００１において、特定情報を受信するのを待って、受信した場合（ステップＳ１００１：Ｙｅｓ）は、通信Ｉ／Ｆ８１３によって、ステップＳ１００１において受信した特定情報によって特定されるコンテンツの購入要求をおこなう（ステップＳ１００２）。
【０１２８】
このとき、改めて利用者５５０に購入意向を確認するステップを加えてもよい。またこのとき、たとえば受信済みの特定情報による購入を実施した場合の購入金額を販売可能なサーバなどから取得し、それを参照しながら利用者５５０が改めて受信済みの特定情報の中から、購入したいコンテンツを決定するステップを加えてもよい。また、ＰＣ５０３やサブスクリプションサービスサーバ５０１あるいはナビゲーション装置５０２が、利用者５５０が既に購入したコンテンツを検索し、ＰＣ５０３が受信した特定情報あるいはサブスクリプションサービスサーバ５０１が受信したコンテンツの購入要求の中に既に購入したコンテンツに該当するコンテンツがあれば、それを利用者５５０に通知し、自動で又は利用者５５０の指示によりコンテンツの購入要求から該当コンテンツを除くステップを加えてもよい。
【０１２９】
コンテンツの購入要求は、たとえば、利用者５５０によって購入したいコンテンツの対価の支払いがおこなわれることを条件に、そのコンテンツを販売可能なサーバに対しておこなう。なお、本実施例１において販売可能なサーバは、サブスクリプションサービスサーバ５０１とする。
【０１３０】
つぎに、通信Ｉ／Ｆ８１３によって、ステップＳ１００２において購入要求をおこなったコンテンツを受信したか否かを判断する（ステップＳ１００３）。コンテンツの受信は、たとえば、複数を一括して受信することとしてもよく、サブスクリプションサービスサーバ５０１から受信する構成である。
【０１３１】
ステップＳ１００３において、コンテンツを受信するのを待って、受信した場合（ステップＳ１００３：Ｙｅｓ）は、磁気ディスクドライブ８０４や光ディスクドライブ８０６などのドライブによって、磁気ディスク８０５や光ディスク８０７などの記録媒体にステップＳ１００３において受信したコンテンツを記録する（ステップＳ１００４）。
【０１３２】
そして、ＣＰＵ８０１によって、磁気ディスクドライブ８０４や光ディスクドライブ８０６などのドライブを制御して、ステップＳ１００４において記録されたコンテンツの複製を生成する（ステップＳ１００５）。複製の生成は、たとえば、購入したコンテンツに対して所定回数許容されている構成でもよく、利用者５５０が入力デバイス８１０を操作することによって指示が入力されることとしてもよい。
【０１３３】
そして、通信Ｉ／Ｆ８１３によって、ナビゲーション装置５０２に対して、ステップＳ１００５において生成されたコンテンツの複製を送信して（ステップＳ１００６）、一連の処理を終了する。複製の送信は、たとえば、ナビゲーション装置５０２や再生端末５０４など、利用者５５０が所有する端末で有効期間を気にすることなく視聴または聴取可能とするために送信する。
【０１３４】
また、複製の送信は、たとえば、特定情報を生成し送信した端末に対して自動的に行ってもよい。このためには、受信した特定情報を送信した端末を特定する情報とコンテンツの購入要求及び購入したコンテンツとを紐づける仕組みを備えてもよい。
【０１３５】
また、複製の送信は、利用者５５０が所有するすべての端末又はあらかじめ指定した端末に対して自動的に行ってもよく、複製数の制限がある場合は、利用者５５０が所有する複数の端末にたいして複製の送信を行う優先順位の設定ができるようにしてもよい。
【０１３６】
以上説明したように、本実施例１にかかるナビゲーション装置によれば、サブスクリプションサービスサーバによって提供された有効期間において視聴または聴取可能なコンテンツを視聴または聴取してから購入したいコンテンツを選択することができるため、利用者は、無駄な買い物を防ぐことができる。
【０１３７】
また、本実施例１にかかるナビゲーション装置によれば、有効期間において視聴または聴取可能なコンテンツを購入し、ＰＣに記録してから複製を受信することで、利用者は、気に入ったコンテンツ（購入したコンテンツ）を有効期間を気にすることなくコンテンツを視聴または聴取することができる。
【０１３８】
また、本実施例１にかかるＰＣによれば、購入したいコンテンツを複数のコンテンツが記録可能な所定の記録媒体に記録するため、利用者は、購入したコンテンツの一元管理が可能となる。換言すれば、車両に搭載されたナビゲーション装置とは別のＰＣに購入したコンテンツを記録することで、利用者は、購入したコンテンツの再生や複製などの利便性を高めることができる。
【０１３９】
さらに、通信環境が不安定な車両に搭載されたナビゲーション装置によって、購入したコンテンツを受信せずに、安定した通信環境にあるＰＣによって購入したコンテンツを受信するため、コンテンツに不具合を生じさせることなくコンテンツのデータを記録することができる。
【実施例２】
【０１４０】
つぎに、本発明の実施例２について説明する。本実施例２では、ナビゲーション装置５０２によって生成される特定情報を、サブスクリプションサービスサーバ５０１に送信した場合について説明する。なお、本実施例２にかかるサブスクリプションサービスサーバ５０１、ナビゲーション装置５０２、ＰＣ５０３のハードウェア構成については図６、図７、図８とそれぞれほぼ同様であるため説明を省略する。また、ナビゲーション装置５０２の処理の内容については、図９に示したステップＳ９０６における特定情報の送信先がＰＣ５０３の代わりにサブスクリプションサービスサーバ５０１となり、他のステップはほぼ同様となるため説明を省略する。
【０１４１】
（システムの概要）
ここで、本実施例２にかかるコンテンツの購入の一例として楽曲を購入する楽曲購入システムの概要について説明する。楽曲購入システムの概要は、実施例１とほぼ同様であるため、図５に示した説明図を用いて、実施例１との相違点について説明する。
【０１４２】
図５において、本実施例２にかかる楽曲購入システム５００は、サブスクリプションサービスサーバ５０１と、ナビゲーション装置５０２と、ＰＣ５０３と、再生端末５０４と、から構成されている。
【０１４３】
楽曲購入システム５００のうち、ナビゲーション装置５０２は、サブスクリプションサービスサーバ５０１によって配信される楽曲の視聴をおこなうことができ、視聴している楽曲に対して、利用者５５０が購入を希望した場合に、その楽曲の購入をすることができる。
【０１４４】
具体的には、たとえば、利用者５５０が購入したい楽曲を選択すると、ナビゲーション装置５０２は、その楽曲を特定するための特定情報を生成する。そして、ナビゲーション装置５０２は、生成した特定情報をサブスクリプションサービスサーバ５０１に送信することによって、サブスクリプションサービスサーバ５０１に特定情報を登録する。
【０１４５】
この特定情報は、たとえば、実施例１に示した楽曲を特定するための情報にくわえて、利用者５５０を識別する識別情報を含む構成でもよい。
【０１４６】
そして利用者５５０は、ナビゲーション装置５０２によって、購入したい楽曲をサブスクリプションサービスサーバ５０１に登録した場合、ＰＣ５０３によってサブスクリプションサービスサーバ５０１に接続して、購入したい楽曲を検索することにより、楽曲の購入要求をおこなう。
【０１４７】
購入したい楽曲の検索は、たとえば、利用者５５０の識別情報を含む購入要求をサブスクリプションサービスサーバ５０１に送信することによっておこなってもよく、サブスクリプションサービスサーバ５０１は、利用者５５０から楽曲の対価の支払いがおこなわれると、ＰＣ５０３に楽曲を送信する構成である。
【０１４８】
（ＰＣ５０３の処理の内容）
ここで、図１１を用いて、本実施例２にかかるＰＣ５０３の処理の内容について説明する。図１１は、本実施例２にかかるＰＣの処理の内容を示すフローチャートである。図１１のフローチャートにおいて、まず、ＰＣ５０３は、利用者５５０の購入したいコンテンツがあるか否かを判断する（ステップＳ１１０１）。
【０１４９】
購入したいコンテンツの有無に関する判断は、たとえば、入力デバイス８１０によって利用者５５０が購入したいコンテンツの入力をおこなったか否かによって判断してもよい。すなわち、利用者５５０が入力デバイス８１０によって、コンテンツを購入するためにサブスクリプションサービスサーバ５０１にアクセスすることによって、購入したいコンテンツがあると判断してもよい。また、ナビゲーション装置５０２からサブスクリプションサービスサーバ５０１が特定情報を受信したら、購入したいコンテンツがあるとサブスクリプションサービスサーバ５０１からＰＣ５０３に通知する構成でもよい。また、ナビゲーション装置５０２から特定情報をサブスクリプションサービスサーバ５０１に登録したという情報をＰＣ５０３が受信したら、購入したいコンテンツがあると判断する構成でもよい。
【０１５０】
ステップＳ１１０１において、購入したいコンテンツがあると判断されるのを待って、購入したいコンテンツがある場合（ステップＳ１１０１：Ｙｅｓ）は、通信Ｉ／Ｆ８１３によって、購入したいコンテンツをサブスクリプションサービスサーバ５０１から検索する（ステップＳ１１０２）。ＰＣ５０３にて検索した識別情報を閲覧し、改めて購入する楽曲を選択するステップを含めてもよい。このとき、検索した識別情報を用いて当該楽曲の試聴やサブスクリプションサービスの視聴ができる仕組みを備えてもよい。
【０１５１】
購入したいコンテンツの検索は、具体的には、たとえば、利用者５５０の識別情報や他の利用者の識別情報、コンテンツを特定する情報、識別情報の登録端末、識別情報の登録日や登録地点などの情報をサブスクリプションサービスサーバ５０１に送信することによっておこなうこととしてもよい。このとき、サブスクリプションサービスサーバ５０１は該当する登録識別情報があるかどうかを検索し、結果をＰＣ５０３に通知してもよい。
【０１５２】
このように、これらの情報を組み合わせて送信することにより、たとえば、自分や特定の友人の登録した情報の中から特定のアーティストについての識別情報を取得し、その中から購入検討を行うことが出来る。また買いたい曲が特定のドライブのときに登録した楽曲であるという記憶を頼りに購入したい楽曲を検索することも出来る。
【０１５３】
そして、ＣＰＵ８０１によって、ステップＳ１１０１において判断された購入したいコンテンツの対価の支払いである課金処理が完了しているか否かを判断する（ステップＳ１１０３）。課金処理に関する判断は、たとえば、通信Ｉ／Ｆ８１３によって、サブスクリプションサービスサーバ５０１の有する課金サーバ機能に対して問い合わせてもよいし、利用者５５０による入力を受け付けてもよい。
【０１５４】
また、図１１の説明では、課金処理が完了しているか否かをＰＣ５０３によって判断することとしているが、ＰＣ５０３によって判断する代わりに、サブスクリプションサービスサーバ５０１によって判断させてもよい。
【０１５５】
ステップＳ１１０３において、課金処理が完了するのを待って、完了した場合（ステップＳ１１０３：Ｙｅｓ）は、ステップＳ１１０１において判断されたコンテンツの購入要求をおこなう（ステップＳ１１０４）。なお、図１１のフローチャートでは、ステップＳ１１０３およびステップＳ１１０４において、課金処理が完了するのを待ってから購入要求をおこなう構成としているが、逆の順序によって、購入要求をおこなってから課金処理が完了するのを待つ構成としてもよい。
【０１５６】
コンテンツの購入要求は、たとえば、そのコンテンツを販売可能なサーバに対しておこなう。なお、本実施例２において販売可能なサーバは、サブスクリプションサービスサーバ５０１とする。
【０１５７】
なお、図１１の説明では、ステップＳ１１０３において課金処理が完了するのを待つ構成としたが、課金処理が完了していない場合（ステップＳ１１０３：Ｎｏ）は、利用者５５０に対して課金を促す構成であってもよい。
【０１５８】
つぎに、通信Ｉ／Ｆ８１３によって、ステップＳ１１０４において購入要求をおこなったコンテンツを受信したか否かを判断する（ステップＳ１１０５）。コンテンツの受信は、たとえば、複数を一括して受信することとしてもよく、サブスクリプションサービスサーバ５０１から受信する構成である。
【０１５９】
ステップＳ１１０５において、コンテンツを受信するのを待って、受信した場合（ステップＳ１１０５：Ｙｅｓ）は、磁気ディスクドライブ８０４や光ディスクドライブ８０６などのドライブによって、磁気ディスク８０５や光ディスク８０７などの記録媒体にステップＳ１１０５において受信したコンテンツを記録する（ステップＳ１１０６）。
【０１６０】
そして、ＣＰＵ８０１によって、磁気ディスクドライブ８０４や光ディスクドライブ８０６などのドライブを制御して、ステップＳ１１０６において記録されたコンテンツの複製を生成する（ステップＳ１１０７）。複製の生成は、たとえば、購入したコンテンツに対して所定回数許容されている構成でもよく、利用者５５０が入力デバイス８１０を操作することによって指示が入力されることとしてもよい。
【０１６１】
そして、通信Ｉ／Ｆ８１３によって、ナビゲーション装置５０２に対して、ステップＳ１１０７において生成されたコンテンツの複製を送信して（ステップＳ１１０８）、一連の処理を終了する。複製の送信は、たとえば、ナビゲーション装置５０２や再生端末５０４など、利用者５５０が所有する端末で有効期間を気にすることなく視聴または聴取可能とするために送信する。
【０１６２】
以上説明したように、本実施例２にかかるナビゲーション装置およびＰＣによれば、実施例１と同様の効果を奏することができ、ナビゲーション装置とＰＣとの間で通信がおこなえなくても、利用者がＰＣを操作することで、購入したいコンテンツを取得することができる。すなわち、コンテンツを購入する端末は、ナビゲーション装置と通信がおこなえなくてもよく、同一の利用者が所有する端末であれば購入できる。
【０１６３】
なお、本実施の形態で説明したコンテンツ購入方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１６４】
１００  コンテンツ再生装置
１０１  選択部
１０２  生成部
１０３  出力部
２００  コンテンツ記録装置
２０１  要求部
２０２  受信部
２０３  記録部
２０４  取得部
【手続補正２】
【補正対象書類名】特許請求の範囲
【補正対象項目名】全文
【補正方法】変更
【補正の内容】
【特許請求の範囲】
【請求項１】
有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、販売可能なコンテンツを管理するコンテンツ販売サーバと接続され、当該コンテンツ販売サーバからコンテンツを取得して記録可能とするコンテンツ記録装置と、からなるコンテンツ購入システムであって、
前記コンテンツ再生装置は、
前記コンテンツ管理サーバから取得した期限付きコンテンツから、購入対象とする購入対象コンテンツの選択を受け付ける選択手段と、
前記選択された購入対象コンテンツを購入するために用いる当該購入対象コンテンツを特定する特定情報を生成する生成手段と、
前記生成された特定情報を、前記コンテンツ記録装置に転送する転送手段と、を備え、
前記コンテンツ記録装置は、
前記コンテンツ再生装置から取得した特定情報ならびに購入のための対価を支払ったことを示す課金情報と、を含む購入要求を前記コンテンツ販売サーバに送信する送信手段と、
前記購入要求が送信された結果、前記コンテンツ販売サーバから前記購入対象コンテンツを受信する受信手段と、
前記受信された購入対象コンテンツを記録する記録手段と、を備えたことを特徴とするコンテンツ購入システム。
【請求項２】
前記コンテンツ再生装置は、
前記特定情報を、前記コンテンツ記録装置に出力できる状態になるまで、一時的に保管する機能を備えることを特徴とする請求項１に記載のコンテンツ購入システム。
【請求項３】
前記コンテンツ再生装置は、
一時的に保管した前記特定情報から、前記コンテンツ記録装置に出力する特定情報を選択する機能を備えることを特徴とする請求項２に記載のコンテンツ購入システム。
【請求項４】
前記コンテンツ記録装置は、
前記コンテンツ再生装置から取得した特定情報を用いて前記コンテンツ販売サーバから受信した購入対象コンテンツの複製データを生成する複製データ生成手段を備え、
前記送信手段は、前記特定情報を生成および出力した前記コンテンツ再生装置に前記複製データを送信することを特徴とする請求項１〜３のいずれか一つに記載のコンテンツ購入システム。
【請求項５】
有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、販売可能なコンテンツを管理するコンテンツ販売サーバと接続され、当該コンテンツ販売サーバからコンテンツを取得して記録可能とするコンテンツ記録装置と、からなるコンテンツ購入システムが実行するコンテンツ購入方法であって、
前記コンテンツ再生装置は、
前記コンテンツ管理サーバから取得した期限付きコンテンツから、購入対象とする購入対象コンテンツの選択を受け付ける選択工程と、
前記選択された購入対象コンテンツを購入するために用いる当該購入対象コンテンツを特定する特定情報を生成する生成工程と、
前記生成された特定情報を、前記コンテンツ記録装置に転送する転送工程と、を含み、
前記コンテンツ記録装置は、
前記コンテンツ再生装置から取得した特定情報ならびに購入のための対価を支払ったことを示す課金情報と、を含む購入要求を前記コンテンツ販売サーバに送信する送信工程と、
前記購入要求が送信された結果、前記コンテンツ販売サーバから前記購入対象コンテンツを受信する受信工程と、
前記受信された購入対象コンテンツを記録する記録工程と、を含むことを特徴とするコンテンツ購入方法。
【請求項６】
請求項５に記載のコンテンツ購入方法をコンピュータに実行させることを特徴とするコンテンツ購入プログラム。
【請求項７】
請求項６に記載のコンテンツ購入プログラムを記録したことを特徴とするコンピュータに読み取り可能な記録媒体。
【国際調査報告】
2008012901.tif 000014
2008012901.tif 000015
2008012901.tif 000016